(57)【要約】  充電器の表示部の視認性とデザイン性とを向上させるワイヤレスイヤホン用充電器と、ワイヤレスイヤホンと、ワイヤレスイヤホンシステムと、を提供する。  無線通信回線を介して音声信号を受信する受信回路１４１，２４１と、受信回路に給電される電力を充電するイヤホン側充電池１５，２５と、を備えるワイヤレスイヤホン１を充電するワイヤレスイヤホン用充電器３であって、イヤホン側充電池に供給される電力を充電する充電池３５と、複数の表示態様を表示する表示部３４Ａと、表示態様を切り替える制御部３９と、を有してなり、表示部の表示態様は、充電池の電力残量を表示する第１表示態様と、イヤホン側充電池の電力残量を表示する第２表示態様と、を含み、表示部は、複数の表示態様のうち、１の表示態様のみを表示する、ことを特徴とする。
2020017128.tif 000002
【特許請求の範囲】
【請求項１】
無線通信回線を介して音声信号を受信する受信回路と、前記受信回路に給電される電力を充電するイヤホン側充電池と、を備えるワイヤレスイヤホンを充電するワイヤレスイヤホン用充電器であって、
前記イヤホン側充電池に供給される電力を充電する充電池と、
複数の表示態様を表示する表示部と、
前記表示態様を切り替える制御部と、
を有してなり、
前記表示部の表示態様は、
前記充電池の電力残量を表示する第１表示態様と、
前記イヤホン側充電池の電力残量を表示する第２表示態様と、
を含み、
前記表示部は、
前記複数の表示態様のうち、１の表示態様のみを表示する、
ことを特徴とするワイヤレスイヤホン用充電器。
【請求項２】
前記充電池に充電される電力を給電する給電ケーブルが接続されるケーブル接続端子、
を有してなり、
前記表示部は、前記給電ケーブルが前記ケーブル接続端子に接続されたとき、前記第１表示態様を表示する、
請求項１記載のワイヤレスイヤホン用充電器。
【請求項３】
前記充電池に充電される電力を給電する給電ケーブルが接続されるケーブル接続端子、
を有してなり、
前記第１表示態様は、複数の個別表示態様を含み、
前記給電ケーブルが前記ケーブル接続端子に接続されたときの個別表示態様は、前記給電ケーブルが前記ケーブル接続端子に接続されていないときの個別表示態様と、異なる、
請求項１記載のワイヤレスイヤホン用充電器。
【請求項４】
前記ケーブル接続端子への前記給電ケーブルの接続の有無を検知する検知部、
を有してなり、
前記制御部は、前記検知部の検知結果に基づいて、前記表示部の表示態様を切り替える、
請求項２または３記載のワイヤレスイヤホン用充電器。
【請求項５】
前記ワイヤレスイヤホンを収容するケースと、
前記表示部の表示態様を切り替えるために操作される操作部と、
を有してなり、
前記操作部は、前記ケースに配置されるボタンであり、
前記制御部は、前記操作部の操作に基づいて、前記表示態様を切り替える、
請求項１記載のワイヤレスイヤホン用充電器。
【請求項６】
前記表示部は、前記ケースの外部に露出する、
請求項５記載のワイヤレスイヤホン用充電器。
【請求項７】
前記イヤホン側充電池の電力残量を表示する第２表示部と、
前記ケースに対して開閉可能な蓋部と、
を有してなり、
前記第２表示部は、前記ケースに対して蓋部が開いているときにのみ、前記ケースの外部から視認可能である、
請求項５記載のワイヤレスイヤホン用充電器。
【請求項８】
前記充電池に充電される電力を給電する給電ケーブルが接続されるケーブル接続端子、
を有してなり、
前記給電ケーブルが前記ケーブル接続端子に接続されたときの前記第２表示部の表示態様は、前記給電ケーブルが前記ケーブル接続端子に接続されていないときの前記第２表示部の表示態様と異なる、
請求項７記載のワイヤレスイヤホン用充電器。
【請求項９】
請求項１記載のワイヤレスイヤホン用充電器より充電されるワイヤレスイヤホンであって、
無線通信回線を介して音声信号を受信する受信回路と、
前記受信回路に給電される電力を充電するイヤホン側充電池と、
前記ワイヤレスイヤホン用充電器より前記電力を受電する受電端子と、
前記イヤホン側充電池の電力残量を示す信号を前記ワイヤレスイヤホン用充電器に送信する送信端子と、
を有してなる、
ことを特徴とするワイヤレスイヤホン。
【請求項１０】
請求項９記載のワイヤレスイヤホンと、
前記ワイヤレスイヤホンを充電する請求項１記載のワイヤレスイヤホン用充電器と、
を有してなり、
前記ワイヤレスイヤホン用充電器は、
給電端子と、
受信端子と、
を備え、
前記給電端子は、前記受電端子に接続されて、前記電力を前記受電端子に給電し、
前記受信端子は、前記送信端子に接続されて、前記イヤホン側充電池の電力残量を示す信号を受信する、
ことを特徴とするワイヤレスイヤホンシステム。
【請求項１１】
前記ワイヤレスイヤホン用充電器は、
前記受電端子と前記給電端子との接続を検知する検知端子、
を備え、
前記ワイヤレスイヤホンは、
前記検知端子と接続する接続端子、
を備え、
前記給電端子からの電力の給電は、前記検知端子と前記接続端子とが接続したときに開始される、
請求項１０記載のワイヤレスイヤホンシステム。
【請求項１２】
前記表示部は、前記受信端子が受信した前記イヤホン側充電池の電力残量を示す信号に基づいて、前記イヤホン側充電池の電力残量を表示する、
請求項１０記載のワイヤレスイヤホンシステム。
【請求項１３】
前記ワイヤレスイヤホン用充電器は、
第２表示部、
を備え、
前記第２表示部は、
前記検知端子と前記接続端子との接続状態と、
前記イヤホン側充電池の電力残量と、
を表示する、
請求項１１記載のワイヤレスイヤホンシステム。
【発明の詳細な説明】
【技術分野】
【０００１】
本発明は、ワイヤレスイヤホン用充電器とワイヤレスイヤホンとワイヤレスイヤホンシステムとに関する。
【背景技術】
【０００２】
近年、音源と接続するためのコードを備えないワイヤレス型のイヤホン（以下「ワイヤレスイヤホン」という。）が販売されている。一般的に、ワイヤレスイヤホンは、左右一対の放音ユニットを有してなる。ワイヤレスイヤホンは、例えば、ブルートゥース（登録商標）などの無線通信回線を介して、携帯型楽音再生機などの音源からの音声信号を受信する。ワイヤレスイヤホンには、左右の放音ユニットがケーブルで連結されたワイヤレスイヤホンと、左右の放音ユニットが完全に独立した（左右の放音ユニットがケーブルで連結されていない）、いわゆる完全ワイヤレスイヤホンと、がある。【０００３】
ワイヤレスイヤホンは、前述のとおり、コードを介して音源と物理的に接続されない。そのため、ワイヤレスイヤホンは、使用時に、音源からの電力を受電できない。したがって、各放音ユニットは、外部電力からの電力を充電すると共に、ワイヤレスイヤホンが備える複数の部品（電子部品）へ給電（電力を供給）するための充電池を備える。【０００４】
ワイヤレスイヤホンの充電池の充電方法として、ワイヤレスイヤホンの収容や持ち運びに用いられる収容ケースを充電器として利用する充電方法が提案されている（例えば、特許文献１参照）。【０００５】
特許文献１に開示された充電器（収容ケース）は、充電器側充電池と、発光体と、を備える。充電器側充電池は、外部電源からの電力を充電すると共に、ワイヤレスイヤホンが備える充電池（以下「イヤホン側充電池」という。）に給電する（電力を供給する）。発光体は、充電器側充電池の電力残量や、充電器側充電池の充電状態（充電中か否か）、ワイヤレスイヤホンが充電されているときのイヤホン側充電池の充電状態（充電中か否か）、に対応して発光する。使用者は、発光体の発光態様を視認することにより、充電器やワイヤレスイヤホンの状態を認識できる。このような充電器において、ワイヤレスイヤホンが充電器に収容されているとき、使用者がイヤホン側充電池の電力残量（イヤホン側充電池の充電量）を認識できると、使用者の利便性は、向上する。【０００６】
ここで、ワイヤレスイヤホンが充電器に収容されているとき、イヤホン側充電池の電力残量を発光体の発光態様により使用者に認識させる充電器が提案されている（例えば、特許文献２参照）。【０００７】
特許文献２に開示された充電器（ケース）は、充電器側充電池と、複数の発光体と、を備える。複数の発光体のうち、１つの発光体は充電器側充電池の電力残量に対応した色で発光することにより、表示部は同電力残量を表示する。複数の発光体のうち、他の１つの発光体はイヤホン側充電池の電力残量に対応した色で発光することにより、表示部は同電力残量を表示する。そのため、特許文献２に開示された充電器は、ワイヤレスイヤホンが収容されているとき、充電器側充電池の電力残量や、イヤホン側充電池の電力残量、などの電力に関する情報を、同時に表示部に表示して使用者に視認させる。【０００８】
しかし、充電器側充電池とイヤホン側充電池との充電状態や電力残量を使用者に認識させるために、充電器が備える複数の発光体が同時かつ複数の色で発光すると、使用者は電力に関する情報を即座に認識できず、充電器の表示部の視認性やデザイン性は低下する。
【先行技術文献】
【特許文献】
【０００９】
【特許文献１】中国実用新案登録公告第２０５６８１５９４号明細書
【特許文献２】特開２０１７−９９２５９号公報
【発明の概要】
【発明が解決しようとする課題】
【００１０】
本発明は、以上のような従来技術の問題点を解消するためになされたもので、充電器の表示部の視認性とデザイン性とを向上させることを目的とする。
【課題を解決するための手段】
【００１１】
本発明にかかるワイヤレスイヤホン用充電器は、無線通信回線を介して音声信号を受信する受信回路と、前記受信回路に給電される電力を充電するイヤホン側充電池と、を備えるワイヤレスイヤホンを充電するワイヤレスイヤホン用充電器であって、イヤホン側充電池に供給される電力を充電する充電池と、複数の表示態様を表示する表示部と、表示態様を切り替える制御部と、を有してなり、表示部の表示態様は、充電池の電力残量を表示する第１表示態様と、イヤホン側充電池の電力残量を表示する第２表示態様と、を含み、表示部は、複数の表示態様のうち、１の表示態様のみを表示する、ことを特徴とする。
【発明の効果】
【００１２】
本発明は、充電器の表示部の視認性とデザイン性とを向上させる。
【図面の簡単な説明】
【００１３】
【図１】本発明にかかるワイヤレスイヤホンシステムの実施の形態を示す斜視図である。
【図２】本発明にかかるワイヤレスイヤホンの実施の形態を示す背面図であり、（ａ）はワイヤレスイヤホンが備える左放音ユニットの背面図、（ｂ）はワイヤレスイヤホンが備える右放音ユニットの背面図、である。
【図３】図２のワイヤレスイヤホンの機能ブロック図である。
【図４】本発明にかかるワイヤレスイヤホン用充電器の実施の形態を示す平面図である。
【図５】図４のワイヤレスイヤホン用充電器が備える蓋が閉められた状態のワイヤレスイヤホン用充電器の正面図である。
【図６】図５のワイヤレスイヤホン用充電器の背面図である。
【図７】給電ケーブルがワイヤレスイヤホン用充電器に接続されていないときにおける、ワイヤレスイヤホン用充電器が備える表示部の表示態様を示す模式図である。
【図８】給電ケーブルがワイヤレスイヤホン用充電器に接続されているときにおける、ワイヤレスイヤホン用充電器が備える表示部の表示態様を示す模式図である。
【図９】図１のワイヤレスイヤホンシステムの機能ブロック図であり、ワイヤレスイヤホンシステムが外部電源に接続されていないときの機能ブロック図である。
【図１０】図１のワイヤレスイヤホンシステムの機能ブロック図であり、ワイヤレスイヤホンシステムが外部電源に接続されているときの機能ブロック図である。
【図１１】図１のワイヤレスイヤホンシステムの充電表示動作を示すフローチャートである。
【図１２】図１１のフローチャートに含まれる第１表示処理のフローチャートである。
【図１３】図１１のフローチャートに含まれる第２表示処理のフローチャートである。
【図１４】図１１のフローチャートに含まれる第３表示処理のフローチャートである。
【図１５】図１１のフローチャートに含まれる第４表示処理のフローチャートである。
【発明を実施するための形態】
【００１４】
以下、図面を参照しながら、本発明にかかるワイヤレスイヤホン用充電器と、ワイヤレスイヤホンと、ワイヤレスイヤホンシステムと、の実施の形態について説明する。
【００１５】
●ワイヤレスイヤホンシステム●
先ず、本発明にかかるワイヤレスイヤホンシステム（以下「本システム」という。）について説明する。本システムは、本発明にかかるワイヤレスイヤホン（以下「本イヤホン」という。）と、本発明にかかるワイヤレスイヤホン用充電器（以下「本充電器」という。）と、を有してなる。
【００１６】
●ワイヤレスイヤホンシステムの構成
図１は、本システムの実施の形態を示す斜視図である。
同図は、本システムＳを構成する本イヤホン１が、本システムＳを構成する本充電器３に収容され、本充電器３の蓋（部）が開いた状態を示す。
【００１７】
本イヤホン１は、左放音ユニット１０と右放音ユニット２０とを備える。本システムＳは、本充電器３に本イヤホン１（左放音ユニット１０，右放音ユニット２０）を収容する。本充電器３は、本イヤホン１を充電する。
【００１８】
●ワイヤレスイヤホン●
次に、本発明にかかるワイヤレスイヤホンについて、説明する。
【００１９】
●ワイヤレスイヤホンの構成
図２は、本イヤホン１の実施の形態を示す背面図であり、（ａ）は、左放音ユニット１０の背面図、（ｂ）は、右放音ユニット２０の背面図である。
図３は、本イヤホン１の機能ブロック図である。
【００２０】
本イヤホン１は、本イヤホン１の使用者の耳に装着されて、携帯型楽音再生機などの音源１００からの音声信号に応じた音波を出力する。本イヤホン１は、例えば、ブルートゥース（登録商標）などの無線通信回線を介して、音源１００からの音声信号を受信する。
【００２１】
本イヤホン１は、左放音ユニット１０と右放音ユニット２０とがケーブルなどにより物理的に連結されていない（左放音ユニット１０と右放音ユニット２０とが完全に独立した）、いわゆる完全ワイヤレスイヤホンである。
【００２２】
なお、本発明にかかるワイヤレスイヤホンは、左右の放音ユニットがケーブルなどにより物理的に連結されたものでもよい。
【００２３】
以下の説明において、本イヤホン１の前方は、本イヤホン１が使用者の頭部に装着された状態（以下「装着状態」という。）における使用者の頭部側の方向である。本イヤホン１の後方は、装着状態における使用者の頭部側の方向と反対側の方向である。
【００２４】
左放音ユニット１０は、使用者の左耳に装着されて、音源１００からの音声信号に応じた音波を出力する。左放音ユニット１０は、左筐体１１と、左イヤピース１２と、左電気音響変換器１３と、左回路基板１４と、左イヤホン側充電池１５と、左フック部１６と、左マグネット１７と、左音響抵抗体１８（図１参照）と、を備える。
【００２５】
左筐体１１は、左電気音響変換器１３と、左回路基板１４と、左イヤホン側充電池１５と、を収容する。左筐体１１は、例えば、プラスチックなどの合成樹脂製である。左筐体１１は、音導管１１１と、第１連通孔１１ｈ（図１参照）と第２連通孔（不図示）とを備える。左筐体１１は、左音響抵抗体１８を保持する。
【００２６】
音導管１１１は、本イヤホン１の使用時に左電気音響変換器１３からの音波を使用者の外耳道に導く。音導管１１１は、略円筒状である。音導管１１１は、左電気音響変換器１３からの音波が導かれる音導管１１１の内部の空間（以下「内部空間」という。）（不図示）を備える。音導管１１１は、左筐体１１の前部に配置される。すなわち、音導管１１１は、左筐体１１の前方に突出する。音導管１１１の内部空間は、左筐体１１の内部の空間（以下「内部空間」という。）と連通する。
【００２７】
なお、音導管は、音導管の内部空間が左筐体１１の内部空間と連通していれば、左筐体と別体に構成されてもよい。
【００２８】
第１連通孔１１ｈと第２連通孔とは、左筐体１１の内部の空間と、左筐体１１の外部の空間（以下「外部空間」という。）と、を連通させる。第１連通孔１１ｈは、左電気音響変換器１３から出力される音波を通過させる。
【００２９】
第２連通孔は、左放音ユニット１０を使用者の左耳に装着するとき（使用者の耳介に装着するとき）に生じる左筐体１１の内部空間の圧力の上昇を抑え、左電気音響変換器１３の損傷（例えば、左電気音響変換器１３が備える振動板（不図示）の損傷）を防止する。第２連通孔は、左筐体１１の前部に配置される。
【００３０】
左イヤピース１２は、装着状態において使用者の外耳道の内壁と密着する。左イヤピース１２は、音導管１１１の外周面に取り付けられる。左イヤピース１２は、例えば、シリコンゴムなどの弾性材製である。左イヤピース１２は、前端側が断面視Ｕ字状に折り返された略二重筒状である。
【００３１】
左電気音響変換器１３は、音源１００からの音声信号に応じた音波を出力する。左電気音響変換器１３は、例えば、ダイナミック型の電気音響変換器である。左電気音響変換器１３は、左筐体１１の内部空間に配置される（左筐体１１に収容される）。
【００３２】
左回路基板１４は、後述するイヤホン側電子回路や端子などが取り付けられる（実装される）基板である。左回路基板１４は、左筐体１１の内部空間に配置される（左筐体１１に収容される）。左回路基板１４は、例えば、ＰＣＢ（printed circuit board）である。左回路基板１４は、信号線（不図示）を介して、左電気音響変換器１３に接続される。
【００３３】
左回路基板１４は、受信回路１４１と、信号処理回路１４２と、送信回路１４３と、受電端子１４ａと、送信端子１４ｂと、接続端子１４ｃと、を実装する。受信回路１４１と、信号処理回路１４２と、送信回路１４３とは、前述したイヤホン側電子回路の例である。すなわち、左放音ユニット１０は、受信回路１４１と、信号処理回路１４２と、送信回路１４３と、受電端子１４ａと、送信端子１４ｂと、接続端子１４ｃと、を備える。受電端子１４ａと、送信端子１４ｂと、接続端子１４ｃとは、端子群１４Ｇを構成する。
【００３４】
受信回路１４１は、無線通信回線を介して、音源１００からの音声信号を受信する。受信回路１４１が受信する音声信号は、デジタル信号である。受信回路１４１は、受信した音声信号を信号処理回路１４２と送信回路１４３とに伝送する。
【００３５】
信号処理回路１４２は、受信回路１４１が受信した音声信号を処理し、処理した信号を左電気音響変換器１３に伝送する。信号処理回路１４２は、例えば、Ｄ／Ａ変換回路である。すなわち、信号処理回路１４２が処理した後の信号（以下「処理信号」という。）は、例えば、デジタル信号がＤ／Ａ変換されたアナログ信号である。
【００３６】
送信回路１４３は、受信回路１４１からの音声信号を後述する右放音ユニット２０の受信回路２４１に伝送する。
【００３７】
受電端子１４ａは、後述する給電端子３２ａＬ（図４参照）に接続されて、左イヤホン側充電池１５に充電される電力を、本充電器３（図１参照）から受電する。受電端子１４ａは、左回路基板１４に実装される。受電端子１４ａのうち、給電端子３２ａＬと接触する受電端子１４ａの一部は、左筐体１１の外部に露出する。受電端子１４ａは、プラスとマイナスの一対の端子で構成される。
【００３８】
送信端子１４ｂは、後述する受信端子３２ｂＬ（図４参照）に接続されて、左イヤホン側充電池１５の電力残量を示す信号を受信端子３２ｂＬに送信する。送信端子１４ｂは、受電端子（一対の受電端子）１４ａに隣接して配置される。送信端子１４ｂのうち、受信端子３２ｂＬと接触する送信端子１４ｂの一部は、左筐体１１の外部に露出する。左イヤホン側充電池１５の電力残量を示す信号については、後述する。
【００３９】
接続端子１４ｃは、後述する検知端子３２ｃＬ（図４参照）に接続される。接続端子１４ｃは、送信端子１４ｂに隣接して配置される。接続端子１４ｃのうち、検知端子３２ｃＬと接触する接続端子１４ｃの一部は、左筐体１１の外部に露出する。
【００４０】
端子群１４Ｇを構成する４つの端子（受電端子（一対の受電端子）１４ａ、送信端子１４ｂ、接続端子１４ｃ）は、図２に示されるように、左筐体１１の外周面に一列に配置される。
【００４１】
なお、端子群の配置は、本実施の形態に限定されない。すなわち、例えば、受電端子（一対の受電端子）と、送信端子と、接続端子とは、２列に配置されてもよい。
【００４２】
左イヤホン側充電池１５は、受電端子１４ａからの電力を蓄える（充電する）と共に、左回路基板１４に取り付けられたイヤホン側電子回路（受信回路１４１など）を駆動させるための電力をイヤホン側電子回路に供給する（給電する）。すなわち、左イヤホン側充電池１５は、イヤホン側電子回路に供給される電力を受電端子１４ａから充電すると共に、イヤホン側電子回路を駆動させるための電力をイヤホン側電子回路に供給する。つまり、左イヤホン側充電池１５に充電される電力は、イヤホン側電子回路に供給される電力である。左イヤホン側充電池１５は、本発明におけるイヤホン側充電池の例である。左イヤホン側充電池１５は、例えば、ボタン型の小型充電池である。左イヤホン側充電池１５は、左回路基板１４を介して、受信回路１４１と信号処理回路１４２と送信回路１４３とに電力を供給する（給電する）。
【００４３】
左イヤホン側充電池１５は、左筐体１１の内部空間に配置される（左筐体１１に収容される）。
【００４４】
左フック部１６は、装着状態において、使用者の耳甲介艇に配置され、左筐体１１と左イヤピース１２とを使用者の左耳に固定する。左フック部１６は、左筐体１１の外周面に配置される。左フック部１６は、左筐体１１と別体に構成される。
【００４５】
なお、左フック部は、左筐体と一体に構成されてもよい。
【００４６】
左マグネット１７は、左放音ユニット１０が本充電器３に収容されたとき、本充電器３に対する左放音ユニット１０の位置を合わせる（位置決めをする）。左マグネット１７は、一対のマグネットで構成される。左マグネット１７を構成する一対のマグネットは、端子群１４Ｇを挟んで、端子群１４Ｇと一列に配置される。左マグネット１７の一部は、左筐体１１の外部に露出する。
【００４７】
なお、左マグネットの構成は、本実施の形態に限定されない。すなわち、例えば、左マグネットは、１つ、または、３つ以上のマグネットで構成されてもよい。また、左マグネットの配置は、端子群を挟む位置に限定されない。
【００４８】
図１に戻る。
左音響抵抗体１８は、左放音ユニット１０の周波数特性を調整する。左音響抵抗体１８は、第１連通孔１１ｈを左筐体１１の内部から覆う。左音響抵抗体１８は、メッシュや不織布、スポンジ、フェルトなどで構成される。
【００４９】
図２と図３とに戻る。
右放音ユニット２０は、使用者の右耳に装着されて、音源１００からの音声信号に応じた音波を出力する。右放音ユニット２０の構成は、送信回路を備えない点を除いて、左放音ユニット１０の構成と共通する。すなわち、右放音ユニット２０は、右筐体２１と、右イヤピース２２と、右電気音響変換器２３と、右回路基板２４と、右イヤホン側充電池２５と、右フック部２６と、右マグネット２７と、右音響抵抗体２８（図１参照）と、を備える。右回路基板２４には、受信回路２４１と、信号処理回路２４２と、受電端子２４ａと、送信端子２４ｂと、接続端子２４ｃと、が取り付けられる（実装される）。受電端子（一対の受電端子）２４ａと、送信端子２４ｂと、接続端子２４ｃとは、端子群２４Ｇを構成する。
【００５０】
●ワイヤレスイヤホンの動作
次に、本イヤホン１の動作について、図３を参照しながら説明する。
【００５１】
音源１００からのデジタル信号（音声信号）は、無線通信回線を介して、左放音ユニット１０の受信回路１４１に伝送される。受信回路１４１は、受信したデジタル信号（音声信号）を信号処理回路１４２と送信回路１４３とに伝送する。
【００５２】
信号処理回路１４２は、受信回路１４１から伝送されたデジタル信号（音声信号）をアナログ信号（音声信号）に変換し、左電気音響変換器１３に伝送する。左電気音響変換器１３は、信号処理回路１４２から入力されたアナログ信号に基づいて、音波を出力する。
【００５３】
一方、送信回路１４３は、受信回路１４１から伝送されたデジタル信号（音声信号）を右放音ユニット２０の受信回路２４１に伝送する。受信回路２４１は、左放音ユニット１０の送信回路１４３から伝送されたデジタル信号を信号処理回路２４２に伝送する。信号処理回路２４２は、受信回路２４１から伝送されたデジタル信号をアナログ信号（音声信号）に変換し、右電気音響変換器２３に伝送する。右電気音響変換器２３は、信号処理回路２４２から入力されたアナログ信号に基づいて、音波を出力する。
【００５４】
●ワイヤレスイヤホン用充電器●
次に、本発明にかかるワイヤレスイヤホン用充電器について説明する。本充電器３は、本イヤホン１を収容するケースとして機能すると共に、本イヤホン１を充電する充電器として機能する。すなわち、本充電器３は、本イヤホン１を収容しながら本イヤホン１の充電をする。以下の説明において、「本イヤホン１の充電」は左イヤホン側充電池１５と右イヤホン側充電池２５とに電力を蓄える（充電する）ことであり、「本充電器３の充電」は後述する充電池３５に電力を蓄えることである。
【００５５】
●ワイヤレスイヤホン用充電器の構成
図４は、本充電器３の平面図である。
図５は、本充電器３が備える蓋が閉められた状態の本充電器３の正面図である。
図６は、図５の本充電器３の背面図である。
【００５６】
本充電器３は、本イヤホン１（図１参照）を収容して、本イヤホン１を充電する。本イヤホン１が充電されるとき、本イヤホン１は、本充電器３と電気的に接続される。本充電器３は、ケース３１と、左端子群３２ＧＬと、右端子群３２ＧＲと、回路基板（不図示）と、充電器側マグネット３３と、第１表示部３４Ａと、第２表示部３４Ｂと、充電池３５（図９参照）と、操作部３６と、外部電源端子３７と、検知部３８（図９参照）と、制御部３９（図９参照）と、を備える。
【００５７】
ケース３１は、本イヤホン１を収容する。ケース３１は、本体部３１１と、収容部３１２と、蓋部３１３と、を備える。ケース３１は、例えば、プラスチックなどの合成樹脂製である。
【００５８】
本体部３１１は、左端子群３２ＧＬと、右端子群３２ＧＲと、回路基板と、充電器側マグネット３３と、充電池３５と、検知部３８と、制御部３９と、を収容する。本体部３１１は、上部が開口し、下部が有底の平面視で角丸長方形状の筒状である。
【００５９】
収容部３１２は、本イヤホン１を収容すると共に、本体部３１１の開口を覆う。すなわち、収容部３１２は、左放音ユニット１０（図１参照）と右放音ユニット２０（図１参照）とを収容する。収容部３１２は、左収容部３１２Ｌと、右収容部３１２Ｒと、収容連結部３１２Ｃと、を備える。
【００６０】
左収容部３１２Ｌは、左放音ユニット１０を収容する。左収容部３１２Ｌは、左放音ユニット１０の後部の外形に沿う形状に凹む凹部により構成される。
【００６１】
右収容部３１２Ｒは、右放音ユニット２０を収容する。右収容部３１２Ｒは、右放音ユニット２０の後部の外形に沿う形状に凹む凹部により構成される。
【００６２】
収容連結部３１２Ｃは、左収容部３１２Ｌと右収容部３１２Ｒとを連結する。
【００６３】
蓋部３１３は、収容部３１２に収容された左放音ユニット１０と右放音ユニット２０それぞれの収容部３１２からの脱落を防止する。蓋部３１３は、本体部３１１（ケース３１）に対して開閉可能である。使用者などにより蓋部３１３が閉じられたとき、収容部３１２は蓋部３１３に覆われ、蓋部３１３は本体部３１１に対してロックされる。
【００６４】
左放音ユニット１０が左収容部３１２Ｌに正しく収容されると、左端子群３２ＧＬは、端子群１４Ｇと接触して電気的に接続される。左端子群３２ＧＬは、給電端子３２ａＬと、受信端子３２ｂＬと、検知端子３２ｃＬと、で構成される。
【００６５】
給電端子３２ａＬは、受電端子１４ａに接続されて、左イヤホン側充電池１５から受信回路１４１（図３参照）に供給（給電）される電力を、受電端子１４ａに供給する（給電する）。給電端子３２ａＬは、プラスとマイナスの一対の端子で構成される。受電端子１４ａに電力を供給するとき、給電端子３２ａＬの一対の端子は、受電端子１４ａの一対の端子と接触して電気的に接続される。受電端子１４ａと接触する給電端子３２ａＬの一部は、左収容部３１２Ｌの底部から露出する。
【００６６】
受信端子３２ｂＬは、送信端子１４ｂに接続されて、左イヤホン側充電池１５の電力残量を示す信号（以下「左イヤホン電力残量信号」という。）を送信端子１４ｂから受信する。受信端子３２ｂＬが送信端子１４ｂと接触して電気的に接続されたとき、受信端子３２ｂＬは、送信端子１４ｂから左イヤホン電力残量信号を受信する。受信端子３２ｂＬは、給電端子３２ａＬに隣接して配置される。送信端子１４ｂと接触する受信端子３２ｂＬの一部は、左収容部３１２Ｌの底部から露出する。
【００６７】
検知端子３２ｃＬは、接続端子１４ｃに接続されて、左放音ユニット１０が左収容部３１２Ｌ（本充電器３）に収容されたことを検知する。検知端子３２ｃＬが接続端子１４ｃと接触して電気的に接続されたとき、受電端子１４ａと給電端子３２ａＬとは、接続される。すなわち、検知端子３２ｃＬは、受電端子１４ａと給電端子３２ａＬとの接続を検知する。検知端子３２ｃＬは、受信端子３２ｂＬに隣接して配置される。接続端子１４ｃと接触する検知端子３２ｃＬの一部は、左収容部３１２Ｌの底部から露出する。
【００６８】
右放音ユニット２０が右収容部３１２Ｒに正しく収容されると、右端子群３２ＧＲは、端子群２４Ｇと接触して電気的に接続される。右端子群３２ＧＲは、給電端子３２ａＲと、受信端子３２ｂＲと、検知端子３２ｃＲと、で構成される。
【００６９】
給電端子３２ａＲは、受電端子２４ａに接続されて、右イヤホン側充電池２５から受信回路２４１（図３参照）に供給（給電）される電力を、受電端子２４ａに供給する（給電する）。給電端子３２ａＲは、プラスとマイナスの一対の端子で構成される。受電端子２４ａに電力を供給するとき、給電端子３２ａＲの一対の端子は、受電端子２４ａの一対の端子と接触して電気的に接続される。受電端子２４ａと接触する給電端子３２ａＲの一部は、右収容部３１２Ｒの底部から露出する。
【００７０】
受信端子３２ｂＲは、送信端子２４ｂに接続されて、右イヤホン側充電池２５の電力残量を示す信号（以下「右イヤホン電力残量信号」という。）を送信端子２４ｂから受信する。受信端子３２ｂＲが送信端子２４ｂと接触して電気的に接続されたとき、受信端子３２ｂＲは、送信端子２４ｂから右イヤホン電力残量信号を受信する。受信端子３２ｂＲは、給電端子３２ａＲに隣接して配置される。送信端子２４ｂと接触する受信端子３２ｂＲの一部は、右収容部３１２Ｒの底部から露出する。
【００７１】
検知端子３２ｃＲは、接続端子２４ｃに接続されて、右放音ユニット２０が右収容部３１２Ｒ（本充電器３）に収容されたことを検知する。検知端子３２ｃＲが接続端子２４ｃと接触して電気的に接続されたとき、受電端子２４ａと給電端子３２ａＲとは、接続される。すなわち、検知端子３２ｃＲは、受電端子２４ａと給電端子３２ａＲとの接続を検知する。検知端子３２ｃＲは、受信端子３２ｂＲに隣接して配置される。接続端子２４ｃと接触する検知端子３２ｃＲの一部は、右収容部３１２Ｒの底部から露出する。
【００７２】
なお、本充電器の端子群の配置は、本イヤホンの端子群の配置に対応していればよく、本実施の形態に限定されない。
【００７３】
回路基板（不図示）は、給電端子３２ａＬ，３２ａＲ、受信端子３２ｂＬ，３２ｂＲ、検知端子３２ｃＬ，３２ｃＲ、後述する第１発光体３４Ａ１１，３４Ａ２１，３４Ａ３１、後述する第２発光体３４Ｂ１１，３４Ｂ２１、検知部３８、制御部３９などの電子回路や素子が取り付けられる（実装される）基板である。回路基板は、例えば、ＰＣＢである。回路基板は１つの基板より構成され、電子回路や素子は同基板に取り付けられる（実装される）。
【００７４】
なお、本発明における回路基板の構成は、本実施の形態に限定されない。すなわち、例えば、本発明における回路基板は複数の基板より構成されてもよく、電子回路は同複数の回路基板に分散して取り付けられ（実装され）てもよい。
【００７５】
充電器側マグネット３３は、本イヤホン１（左放音ユニット１０、右放音ユニット２０）が本充電器３に収容されたとき、本充電器３に対する本イヤホン１の位置を合わせる（位置決めをする）。充電器側マグネット３３は、左充電器側マグネット３３Ｌと右充電器側マグネット３３Ｒとを備える。
【００７６】
左充電器側マグネット３３Ｌは、左放音ユニット１０が本充電器３（左収容部３１２Ｌ）に収容されたとき、本充電器３に対する左放音ユニット１０の位置を合わせる（位置決めをする）。左充電器側マグネット３３Ｌは、一対のマグネットで構成される。左充電器側マグネット３３Ｌを構成する一対のマグネットは、左端子群３２ＧＬを挟んで、左端子群３２ＧＬと一列に配置される。左充電器側マグネット３３Ｌの一部は、左収容部３１２Ｌの底部から露出する。
【００７７】
右充電器側マグネット３３Ｒは、右放音ユニット２０が本充電器３（右収容部３１２Ｒ）に収容されたとき、本充電器３に対する右放音ユニット２０の位置を合わせる（位置決めをする）。右充電器側マグネット３３Ｒは、一対のマグネットで構成される。右充電器側マグネット３３Ｒを構成する一対のマグネットは、右端子群３２ＧＲを挟んで、右端子群３２ＧＲと一列に配置される。右充電器側マグネット３３Ｒの一部は、右収容部３１２Ｒの底部から露出する。
【００７８】
第１表示部３４Ａは、複数の表示態様を用いて、充電池３５の電力残量や、イヤホン側充電池（左イヤホン側充電池１５，右イヤホン側充電池２５）の電力残量を表示する。第１表示部３４Ａの表示態様は、「第１表示態様」と「第２表示態様」とを含む。第１表示態様は、充電池３５の電力残量を表示する表示態様である。第２表示態様は、イヤホン側充電池（左イヤホン側充電池１５，右イヤホン側充電池２５）の電力残量を表示する表示態様である。第１表示部３４Ａは、第１表示態様と第２表示態様とのうち、いずれか一方の表示態様のみを表示する。また、後述のとおり、第１表示態様は、第２表示態様と異なる。
【００７９】
第１表示態様は、「第１個別表示態様」と「第２個別表示態様」とを含む。すなわち、第１表示態様は、複数の個別表示態様を含む。第１個別表示態様は、本充電器３が外部電源２００（図１０参照）から電力の供給を受けていない間における、充電池３５の電力残量を表示する表示態様である。第２個別表示態様は、本充電器３が外部電源２００から電力の供給を受けている間における、充電池３５の電力残量を表示する表示態様である。すなわち、充電池３５の電力残量の表示態様は、本充電器３が外部電源２００から電力の供給を受けている間か否かにより異なる。また、後述のとおり、第１個別表示態様は、第２個別表示態様と異なる。
【００８０】
一方、イヤホン側充電池（左イヤホン側充電池１５，右イヤホン側充電池２５）の電力残量を表示する表示態様（第２表示態様）において、本充電器３が外部電源２００から電力の供給を受けている間の表示態様は、本充電器３が外部電源２００から電力の供給を受けていない間の表示態様と同じである。
【００８１】
第１表示部３４Ａは、本発明における表示部の例である。第１表示部３４Ａは、３つのインジケータ３４Ａ１，３４Ａ２，３４Ａ３と、各インジケータ３４Ａ１，３４Ａ２，３４Ａ３に対応する３つの第１発光体３４Ａ１１，３４Ａ２１，３４Ａ３１（図９参照）と、を備える。
【００８２】
なお、第１表示部が備えるインジケータや第１発光体の数は、「３」に限定されない。
【００８３】
インジケータ３４Ａ１，３４Ａ２，３４Ａ３それぞれは、対応する第１発光体３４Ａ１１，３４Ａ２１，３４Ａ３１それぞれの発光の態様を使用者に視認可能にさせる。各インジケータ３４Ａ１，３４Ａ２，３４Ａ３の一部は、本体部３１１（ケース３１）の外部に露出するように、ケース３１に配置される。すなわち、第１表示部３４Ａは、本体部３１１（ケース３１）の外部に露出する。つまり、本体部３１１に対して蓋部３１３が閉じられたとしても、本システムＳの使用者は、充電池３５の電力残量や、イヤホン側充電池（左イヤホン側充電池１５，右イヤホン側充電池２５）の電力残量や、本充電器３が外部電源２００から電力の供給を受けているか否か、を把握できる。
【００８４】
第１発光体３４Ａ１１，３４Ａ２１，３４Ａ３１は、例えば、多色ＬＥＤ（Light Emitting Diode）である。第１発光体３４Ａ１１，３４Ａ２１，３４Ａ３１は、本体部３１１（ケース３１）に収容される。
【００８５】
第１発光体３４Ａ１１，３４Ａ２１，３４Ａ３１それぞれの発光の態様は、「発光パターン」と「発光色」とで特定される。「発光パターン」は、「点灯」「点滅」「消灯」のいずれかである。「発光色」は、「青色」「白色」のいずれかである。すなわち、第１発光体３４Ａ１１，３４Ａ２１，３４Ａ３１それぞれの発光の態様は、３種類の「発光パターン」と２種類の「発光色」との組合せで特定される。
【００８６】
第１発光体３４Ａ１１，３４Ａ２１，３４Ａ３１それぞれの発光の態様は、充電池３５の電力残量や、イヤホン側充電池（左イヤホン側充電池１５，右イヤホン側充電池２５）の電力残量や、本充電器３が外部電源２００から電力の供給を受けているか否かに応じて異なる。
【００８７】
第１発光体３４Ａ１１，３４Ａ２１，３４Ａ３１は、充電池３５の電力残量を示すとき、青色の発光色で発光する。第１発光体３４Ａ１１，３４Ａ２１，３４Ａ３１は、イヤホン側充電池（左イヤホン側充電池１５，右イヤホン側充電池２５）の電力残量を示すとき、白色の発光色で発光する。第１発光体３４Ａ１１，３４Ａ２１，３４Ａ３１それぞれの発光色は、充電池３５の電力残量を示すときと、イヤホン側充電池の電力残量を示すときとで異なる。
【００８８】
第１発光体３４Ａ１１，３４Ａ２１，３４Ａ３１それぞれの発光パターンは、後述のとおり、充電池３５の電力残量またはイヤホン側充電池（左イヤホン側充電池１５，右イヤホン側充電池２５）の電力残量に応じて異なる。
【００８９】
第１表示部３４Ａは、インジケータ３４Ａ１，３４Ａ２，３４Ａ３を用いて、第１発光体３４Ａ１１，３４Ａ２１，３４Ａ３１それぞれの発光の態様を表示する。すなわち、本システムＳの使用者は、第１表示部３４Ａに表示される第１発光体３４Ａ１１，３４Ａ２１，３４Ａ３１それぞれの発光の態様を視認することで、充電池３５の電力残量や、イヤホン側充電池（左イヤホン側充電池１５，右イヤホン側充電池２５）の電力残量や、本充電器３が外部電源２００から電力の供給を受けているか否か、を把握できる。
【００９０】
第２表示部３４Ｂは、検知端子３２ｃＬ，３２ｃＲと接続端子１４ｃ，２４ｃとの接続状態、すなわち、検知端子３２ｃＬと接続端子１４ｃとが電気的に接続されているか否かと、検知端子３２ｃＲと接続端子２４ｃとが電気的に接続されているか否かと、を表示する。また、第２表示部３４Ｂは、イヤホン側充電池（左イヤホン側充電池１５，右イヤホン側充電池２５）の電力残量を表示する。第２表示部３４Ｂが表示するイヤホン側充電池の電力残量は、充電中と充電完了（満充電）とのいずれかである。第２表示部３４Ｂの一部は、収容連結部３１２Ｃ（収容部３１２）の外部に露出するように配置される。第２表示部３４Ｂは、２つのインジケータ３４Ｂ１，３４Ｂ２と、各インジケータ３４Ｂ１，３４Ｂ２に対応する２つの第２発光体３４Ｂ１１，３４Ｂ２１（図９参照）と、を備える。
【００９１】
各インジケータ３４Ｂ１，３４Ｂ２は、対応する第２発光体３４Ｂ１１，３４Ｂ２１の発光の態様を使用者に視認可能にさせる。各インジケータ３４Ｂ１，３４Ｂ２の一部は、収容連結部３１２Ｃ（収容部３１２）から露出するように、収容連結部３１２Ｃに配置される。本体部３１１に対して蓋部３１３が閉じられたとき、第２表示部３４Ｂは、蓋部３１３に覆われる。つまり、本体部３１１に対して蓋部３１３が閉じられたとき、本システムＳの使用者は、検知端子３２ｃＬ，３２ｃＲと接続端子１４ｃ，２４ｃとの接続状態や、イヤホン側充電池の電力残量を把握できない。一方、本体部３１１に対して蓋部３１３が開いているとき、第２表示部３４Ｂは、本体部３１１の外部から視認可能である。つまり、本体部３１１に対して蓋部３１３が開いているときにのみ、本システムＳの使用者は、第２表示部３４Ｂの発光の態様から、検知端子３２ｃＬ，３２ｃＲと接続端子１４ｃ，２４ｃとの接続状態や、イヤホン側充電池の電力残量を把握できる。
【００９２】
第２発光体３４Ｂ１１，３４Ｂ２１は、単色（白色）ＬＥＤである。第２発光体３４Ｂ１１，３４Ｂ２１は、本体部３１１（ケース３１）に収容される。
【００９３】
第２発光体３４Ｂ１１，３４Ｂ２１それぞれの発光の態様は、「発光パターン」で特定される。「発光パターン」は、「点灯」「点滅」「消灯」のいずれかである。
【００９４】
第２発光体３４Ｂ１１，３４Ｂ２１それぞれの発光の態様、つまり、第２発光体３４Ｂ１１，３４Ｂ２１それぞれの発光パターンは、検知端子３２ｃＬ，３２ｃＲと接続端子１４ｃ，２４ｃとの接続状態や、イヤホン側充電池の電力残量に応じて異なる。
【００９５】
第２発光体３４Ｂ１１，３４Ｂ２１それぞれの発光パターンは、検知端子３２ｃＬ，３２ｃＲと接続端子１４ｃ，２４ｃとが接続していないとき、「消灯」である。
【００９６】
第２発光体３４Ｂ１１，３４Ｂ２１それぞれの発光パターンは、検知端子３２ｃＬ，３２ｃＲと接続端子１４ｃ，２４ｃとが接続していて、イヤホン側充電池の電力残量が充電中のとき、「点滅」である。
【００９７】
第２発光体３４Ｂ１１，３４Ｂ２１それぞれの発光パターンは、検知端子３２ｃＬ，３２ｃＲと接続端子１４ｃ，２４ｃとが接続していて、イヤホン側充電池の電力残量が充電完了（満充電）のとき、「点灯」である。
【００９８】
なお、第２発光体３４Ｂ１１，３４Ｂ２１それぞれの発光パターンは、本充電器３が外部電源２００から電力の供給を受けている間であって、検知端子３２ｃＬ，３２ｃＲと接続端子１４ｃ，２４ｃとが接続しているとき、イヤホン側充電池の電力残量が充電中のとき「点滅」で、イヤホン側充電池の電力残量が充電完了になると「点灯」に変わる。その後、第２発光体３４Ｂ１１，３４Ｂ２１それぞれの発光パターンは、「点灯」のままである。
【００９９】
一方、第２発光体３４Ｂ１１，３４Ｂ２１それぞれの発光パターンは、本充電器３が外部電源２００から電力の供給を受けていない間であって、検知端子３２ｃＬ，３２ｃＲと接続端子１４ｃ，２４ｃとが接続しているとき、イヤホン側充電池の電力残量が充電中のとき「点滅」で、イヤホン側充電池の電力残量が充電完了になると「点灯」に変わる。その後、所定の時間が経過すると、第２発光体３４Ｂ１１，３４Ｂ２１それぞれの発光パターンは、「点灯」から「消灯」に変わる。
【０１００】
このように、イヤホン側充電池の電力残量が充電中のとき、および、イヤホン側充電池の電力残量が充電完了（満充電）のとき（充電が完了してから所定の時間が経過する前）において、第２発光体３４Ｂ１１，３４Ｂ２１それぞれの発光パターンは、本充電器３が外部電源２００から電力の供給を受けている間であって検知端子３２ｃＬ，３２ｃＲと接続端子１４ｃ，２４ｃとが接続しているときと、本充電器３が外部電源２００から電力の供給を受けていない間であって検知端子３２ｃＬ，３２ｃＲと接続端子１４ｃ，２４ｃとが接続しているときと、で同じである。一方、イヤホン側充電池の電力残量が充電完了になった後（充電が完了してから所定の時間が経過した後）において、第２発光体３４Ｂ１１，３４Ｂ２１それぞれの発光パターンは、本充電器３が外部電源２００から電力の供給を受けている間であって検知端子３２ｃＬ，３２ｃＲと接続端子１４ｃ，２４ｃとが接続しているときの発光パターンと、本充電器３が外部電源２００から電力の供給を受けていない間であって検知端子３２ｃＬ，３２ｃＲと接続端子１４ｃ，２４ｃとが接続しているときの発光パターンと、の間で異なる。
【０１０１】
第２表示部３４Ｂは、インジケータ３４Ｂ１，３４Ｂ２を用いて、第２発光体３４Ｂ１１，３４Ｂ２１それぞれの発光の態様を表示する。第２表示部３４Ｂの表示態様は、「表示パターン」で特定される。第２表示部３４Ｂの表示パターンは、第２発光体３４Ｂ１１，３４Ｂ２１それぞれの発光パターンである。すなわち、イヤホン側充電池の電力残量が充電完了になった後（充電が完了してから所定の時間が経過した後）において、第２表示部３４Ｂの表示態様は、本充電器３が外部電源２００から電力の供給を受けている間であって検知端子３２ｃＬ，３２ｃＲと接続端子１４ｃ，２４ｃとが接続しているときと、本充電器３が外部電源２００から電力の供給を受けていない間であって検知端子３２ｃＬ，３２ｃＲと接続端子１４ｃ，２４ｃとが接続しているときと、で異なる。
【０１０２】
このように、本システムＳの使用者は、第２表示部３４Ｂに表示される第２発光体３４Ｂ１１，３４Ｂ２１それぞれの発光の態様、すなわち、第２表示部３４Ｂの表示態様を視認することで、検知端子３２ｃＬ，３２ｃＲと接続端子１４ｃ，２４ｃとの接続状態や、イヤホン側充電池の電力残量を把握できる。
【０１０３】
充電池３５（図９参照）は、イヤホン側充電池（左イヤホン側充電池１５，右イヤホン側充電池２５）や、本充電器３が備える電子回路に供給される電力を充電する。充電池３５に充電される電力は、例えば、外部電源２００（図１０参照）からの電力である。
【０１０４】
充電池３５は、イヤホン側充電池（左イヤホン側充電池１５，右イヤホン側充電池２５）から受信回路１４１，２４１に供給（給電）される電力を供給する。充電池３５は、本体部３１１（ケース３１）に収容される。充電池３５は、本体部３１１（ケース３１）内で、配線（不図示）などを介して給電端子３２ａＬ，３２ａＲと電気的に接続される。
【０１０５】
操作部３６は、本充電器３の使用者により操作される。操作部３６は、ボタンである。操作部３６の操作は、押下操作である。操作部３６の一部は、本体部３１１（ケース３１）の外部に露出するように配置される。第１表示部３４Ａの表示態様は、使用者による操作部３６の押下操作に基づいて、切り替わる。すなわち、第１表示部３４Ａの表示態様は、使用者による操作部３６の押下操作に基づいて、第１表示態様と第２表示態様との間で交互に切り替わる。換言すれば、操作部３６は、第１表示部３４Ａの表示態様を切り替えるために操作される。前述のとおり、「第１表示態様」は充電池３５の電力残量を表示する表示態様であり、「第２表示態様」はイヤホン側充電池（左イヤホン側充電池１５，右イヤホン側充電池２５）の電力残量を表示する表示態様である。
【０１０６】
外部電源端子３７は、充電池３５に充電される電力を供給（給電）する給電ケーブルＣが接続される端子である。外部電源端子３７は、給電ケーブルＣを介して、外部電源２００からの電力を充電池３５に供給（給電）する。外部電源端子３７は、本発明におけるケーブル接続端子の例であり、例えば、ＵＳＢ（Universal Serial Bus）端子である。給電ケーブルＣは、例えば、ＵＳＢケーブルである。外部電源２００は、例えば、パーソナルコンピュータが内蔵する充電池や商用電源などである。外部電源端子３７は、給電ケーブルＣが接続されたことを示す接続信号を、制御部３９に送信する。
【０１０７】
検知部３８（図９参照）は、外部電源端子３７への給電ケーブルＣの接続の有無を検知する。検知部３８は、本体部３１１（ケース３１）に収容される。検知部３８は、外部電源端子３７への給電ケーブルＣの接続の有無に応じた検知結果（例えば、給電ケーブルＣが外部電源端子３７に接続されていることを示す信号）を制御部３９に送信する。
【０１０８】
制御部３９（図９参照）は、操作部３６の操作や、検知部３８の検知結果や、前述の左イヤホン電力残量信号や右イヤホン電力残量信号や、後述の充電器電力残量信号などに基づいて、第１表示部３４Ａの表示態様を切り替える。制御部３９は、本体部３１１（ケース３１）に収容される。
【０１０９】
●表示部の表示態様
次に、第１表示部３４Ａの表示態様について、本イヤホン１が本充電器３に収容されている場合を例に説明する。
【０１１０】
図７は、給電ケーブルＣが本充電器３（外部電源端子３７）に接続されていないときにおける、充電池３５の電力残量またはイヤホン側充電池（左イヤホン側充電池１５，右イヤホン側充電池２５）の電力残量と、第１表示部３４Ａの表示態様と、の組合せを示す模式図である。
【０１１１】
図中、黒塗りの丸は第１発光体３４Ａ１１，３４Ａ２１，３４Ａ３１が青色に点灯している状態を示し、破線の丸は第１発光体３４Ａ１１，３４Ａ２１，３４Ａ３１が消灯している状態を示し、実線の丸は第１発光体３４Ａ１１，３４Ａ２１，３４Ａ３１が白色に点灯している状態を示す。また、同図は、充電池３５の電力残量を表示するときの第１表示部３４Ａの表示色（青色）がイヤホン側充電池の電力残量を表示するときの第１表示部３４Ａの表示色（白色）と異なることを示す。
【０１１２】
第１表示部３４Ａの表示態様は、「表示パターン」と「表示色」との組合せで特定される。給電ケーブルＣが本充電器３に接続されていないときの第１表示部３４Ａの表示態様は、第１個別表示態様である。
【０１１３】
第１表示部３４Ａの表示パターンは、第１発光体３４Ａ１１，３４Ａ２１，３４Ａ３１それぞれの発光パターンの組合せである。第１表示部３４Ａの表示色は、第１発光体３４Ａ１１，３４Ａ２１，３４Ａ３１の発光色である。
【０１１４】
同図は、充電池３５の電力残量またはイヤホン側充電池の電力残量が「０％以上で３０％未満」のとき、「３０％以上で６０％未満」のとき、「６０％以上で１００％未満」のとき、「１００％（充電完了）」のときで、第１表示部３４Ａの表示パターンが異なることを示す。ここで、例えば、充電池３５の電力残量が「０％以上で３０％未満」のとき、第１表示部３４Ａの表示パターンは、第１発光体３４Ａ１１の発光パターンが「点灯（青色）」、第１発光体３４Ａ２１の発光パターンが「消灯」、第１発光体３４Ａ３１の発光パターンが「消灯」であることを示す。充電池３５の電力残量が「３０％以上で６０％未満」のとき、第１表示部３４Ａの表示パターンは、第１発光体３４Ａ１１の発光パターンが「点灯（青色）」、第１発光体３４Ａ２１の発光パターンが「点灯（青色）」、第１発光体３４Ａ３１の発光パターンが「消灯」であることを示す。充電池３５の電力残量が「６０％以上で１００％未満」のとき、第１表示部３４Ａの表示パターンは、第１発光体３４Ａ１１の発光パターンが「点灯（青色）」、第１発光体３４Ａ２１の発光パターンが「点灯（青色）」、第１発光体３４Ａ３１の発光パターンが「点灯（青色）」であることを示す。同様に、充電池３５の電力残量が「１００％（充電完了）」のとき、第１表示部３４Ａの表示パターンは、第１発光体３４Ａ１１の発光パターンが「点灯（青色）」、第１発光体３４Ａ２１の発光パターンが「点灯（青色）」、第１発光体３４Ａ３１の発光パターンが「点灯（青色）」であることを示す。
【０１１５】
一方、イヤホン側充電池の電力残量を表示するときの第１表示部３４Ａの表示態様は、表示色において、充電池３５の電力残量を表示するときの第１表示部３４Ａの表示態様と、異なる。すなわち、例えば、イヤホン側充電池の電力残量が「０％以上で３０％未満」のとき、第１表示部３４Ａの表示パターンは、第１発光体３４Ａ１１の発光パターンが「点灯（白色）」、第１発光体３４Ａ２１の発光パターンが「消灯」、第１発光体３４Ａ３１の発光パターンが「消灯」であることを示す。イヤホン側充電池の電力残量が「３０％以上で６０％未満」のとき、第１表示部３４Ａの表示パターンは、第１発光体３４Ａ１１の発光パターンが「点灯（白色）」、第１発光体３４Ａ２１の発光パターンが「点灯（白色）」、第１発光体３４Ａ３１の発光パターンが「消灯」であることを示す。イヤホン側充電池の電力残量が「６０％以上で１００％未満」のとき、第１表示部３４Ａの表示パターンは、第１発光体３４Ａ１１の発光パターンが「点灯（白色）」、第１発光体３４Ａ２１の発光パターンが「点灯（白色）」、第１発光体３４Ａ３１の発光パターンが「点灯（白色）」であることを示す。同様に、充電池３５の電力残量が「１００％（充電完了）」のとき、第１表示部３４Ａの表示パターンは、第１発光体３４Ａ１１の発光パターンが「点灯（白色）」、第１発光体３４Ａ２１の発光パターンが「点灯（白色）」、第１発光体３４Ａ３１の発光パターンが「点灯（白色）」であることを示す。
【０１１６】
図８は、給電ケーブルＣが本充電器３（外部電源端子３７）に接続されているときにおける、充電池３５の電力残量またはイヤホン側充電池（左イヤホン側充電池１５，右イヤホン側充電池２５）の電力残量と、第１表示部３４Ａの表示態様と、の組合せを示す模式図である。
【０１１７】
図中、黒塗りの丸は第１発光体３４Ａ１１，３４Ａ２１，３４Ａ３１が青色に点灯している状態を示し、破線の丸は第１発光体３４Ａ１１，３４Ａ２１，３４Ａ３１が消灯している状態を示し、実線の丸は第１発光体３４Ａ１１，３４Ａ２１，３４Ａ３１が白色に点灯している状態を示し、二重丸は第１発光体３４Ａ１１，３４Ａ２１，３４Ａ３１が青色で点滅している状態を示す。また、同図は、充電池３５の電力残量を表示するときの第１表示部３４Ａの表示色（青色）がイヤホン側充電池の電力残量を表示するときの第１表示部３４Ａの表示色（白色）と異なることを示す。
【０１１８】
第１表示部３４Ａの表示態様は、前述のとおり、「表示パターン」と「表示色」との組合せで特定される。給電ケーブルＣが本充電器３に接続されているときの第１表示部３４Ａの表示態様は、第２個別表示態様である。すなわち、給電ケーブルＣが本充電器３（外部電源端子３７）に接続されたときの個別表示態様（第２個別表示態様）は、給電ケーブルＣが本充電器３（外部電源端子３７）に接続されていないときの個別表示態様（第１個別表示態様）と異なる。
【０１１９】
同図は、充電池３５の電力残量またはイヤホン側充電池の電力残量が「０％以上で３０％未満」のとき、「３０％以上で６０％未満」のとき、「６０％以上で１００％未満」のとき、「１００％（充電完了）」のときで、第１表示部３４Ａの表示パターンが異なることを示す。ここで、例えば、充電池３５の電力残量が「０％以上で３０％未満」のとき、第１表示部３４Ａの表示パターンは、第１発光体３４Ａ１１の発光パターンが「点滅（青色）」、第１発光体３４Ａ２１の発光パターンが「消灯」、第１発光体３４Ａ３１の発光パターンが「消灯」であることを示す。充電池３５の電力残量が「３０％以上で６０％未満」のとき、第１表示部３４Ａの表示パターンは、第１発光体３４Ａ１１の発光パターンが「点灯（青色）」、第１発光体３４Ａ２１の発光パターンが「点滅（青色）」、第１発光体３４Ａ３１の発光パターンが「消灯」であることを示す。充電池３５の電力残量が「６０％以上で１００％未満」のとき、第１表示部３４Ａの表示パターンは、第１発光体３４Ａ１１の発光パターンが「点灯（青色）」、第１発光体３４Ａ２１の発光パターンが「点灯（青色）」、第１発光体３４Ａ３１の発光パターンが「点滅（青色）」であることを示す。充電池３５の電力残量が「１００％（充電完了）」のとき、第１表示部３４Ａの表示パターンは、第１発光体３４Ａ１１の発光パターンが「点灯（青色）」、第１発光体３４Ａ２１の発光パターンが「点灯（青色）」、第１発光体３４Ａ３１の発光パターンが「点灯（青色）」であることを示す。
【０１２０】
一方、イヤホン側充電池の電力残量を表示するときの第１表示部３４Ａの表示態様は、給電ケーブルＣが本充電器３（外部電源端子３７）に接続されていないときにおけるイヤホン側充電池の電力残量を表示するときの第１表示部３４Ａの表示態様（図７参照）と同じである。すなわち、図８に示された給電ケーブルＣが本充電器３（外部電源端子３７）に接続されているときにおけるイヤホン側充電池の電力残量を表示するときの第１表示部３４Ａの表示態様は、図７に示された給電ケーブルＣが本充電器３（外部電源端子３７）に接続されていないときにおけるイヤホン側充電池の電力残量を表示するときの第１表示部３４Ａの表示態様と同じである。
【０１２１】
なお、給電ケーブルＣが本充電器３（外部電源端子３７）に接続されているときにおいて、イヤホン側充電池の電力残量を表示するときの第１表示部の表示態様は、充電池の電力残量を表示するときの第１表示部の表示態様と同様に、いずれかの第１発光体の発光パターンが「点滅（白色）」になるように、第１表示部の表示パターンを変更してもよい。すなわち、例えば、第１表示部の表示パターンは、イヤホン側充電池の電力残量が「０％以上で３０％未満」のとき第１発光体３４Ａ１１の発光パターンを「点滅（白色）」させ、イヤホン側充電池の電力残量が「３０％以上で６０％未満」のとき第１発光体３４Ａ２１の発光パターンを「点滅（白色）」させ、イヤホン側充電池の電力残量が「６０％以上で１００％未満」のとき第１発光体３４Ａ３１の発光パターンを「点滅（白色）」させる表示パターンでもよい。
【０１２２】
このように、本システムＳの使用者は、第１表示部３４Ａの表示態様を視認することで、充電池３５の電力残量またはイヤホン側充電池の電力残量を把握できる。また、本システムＳの使用者は、第１表示部３４Ａの表示態様を視認することで、給電ケーブルＣが本充電器３に接続されているか否かを把握できる。
【０１２３】
●ワイヤレスイヤホンシステムの充電動作
次に、本システムＳの充電動作について説明する。ここで、本システムＳの充電動作において、本充電器３から右放音ユニット２０に対する充電は、本充電器３から左放音ユニット１０に対する充電と共通する。そこで、以下、本充電器３から左放音ユニット１０に対する充電を例に、本システムＳの充電動作について説明する。
【０１２４】
図９は、本システムＳが外部電源２００に接続されていないときの本システムＳの機能ブロック図である。
【０１２５】
図中、実線は電力の流れを示し、破線は信号の流れを示し、二重線は電気的な接続を示す（図１０において同じ）。
【０１２６】
先ず、本システムＳにおける電力の流れを説明する。
【０１２７】
本充電器３は、本イヤホン１に電力を供給（給電）する。
【０１２８】
充電池３５は、あらかじめ外部電源２００から供給された電力を蓄えておき（充電しておき）、蓄えた電力を給電端子３２ａＬに供給（給電）する。
【０１２９】
給電端子３２ａＬは、充電池３５から供給を受けた（受電した）電力を受電端子１４ａに供給する。給電端子３２ａＬから受電端子１４ａへの電力の供給は、検知端子３２ｃＬと接続端子１４ｃとが接続したとき、開始される。
【０１３０】
受電端子１４ａは、充電池３５からの電力の供給を給電端子３２ａＬから受ける。例えば、本充電器３は、充電池３５と給電端子３２ａＬとの間に直列にスイッチ（不図示）（例えば、ＦＥＴ（Field Effect Transistor））を備える。本充電器３の制御部３９は、検知端子３２ｃＬと接続端子１４ｃとが接続されるとスイッチをオンにして、充電池３５に充電されている電力の給電端子３２ａＬから受電端子１４ａへの供給を開始する。また、制御部３９は、検知端子３２ｃＬと接続端子１４ｃとの接続が解除されるとスイッチをオフにして、給電端子３２ａＬから受電端子１４ａへの電力の供給を停止する。すなわち、制御部３９は、検知端子３２ｃＬと接続端子１４ｃとが接続されている間、本イヤホン１を充電する。
【０１３１】
受電端子１４ａは、給電端子３２ａＬから供給を受けた（受電した）電力を、左イヤホン側充電池１５に供給する。左イヤホン側充電池１５は、受電端子１４ａから供給を受けた電力を蓄えると共に、左放音ユニット１０が備える電子回路（受信回路１４１など）に供給する。
【０１３２】
次に、本システムＳにおける信号の流れを説明する。
【０１３３】
検知部３８は、給電ケーブルＣが外部電源端子３７に接続されていないことを示す信号（非接続検知信号）を制御部３９に送信する。
【０１３４】
充電池３５は、充電池３５の電力残量を示す信号（充電器電力残量信号）を制御部３９に送信する。
【０１３５】
左イヤホン側充電池１５は、左イヤホン側充電池１５の電力残量を示す信号（左イヤホン電力残量信号）を、送信端子１４ｂを介して受信端子３２ｂＬに送信する。受信端子３２ｂＬは、送信端子１４ｂに接続（電気的に接続）されたとき、左イヤホン電力残量信号を、送信端子１４ｂから受信して、同信号を制御部３９に送信する。すなわち、左イヤホン側充電池１５は、左イヤホン電力残量信号を制御部３９に送信する。
【０１３６】
検知端子３２ｃＬは、接続端子１４ｃと接続（電気的に接続）されたとき、接続端子１４ｃと接続されたことを示す信号（検知信号）を制御部３９に送信する。制御部３９は、検知信号を受信することで、受電端子１４ａと給電端子３２ａＬとが接続されたことも検知する。
【０１３７】
操作部３６は、本システムＳの使用者により押下操作されたとき、押下されたことを示す信号（操作信号）を制御部３９に送信する。
【０１３８】
検知部３８から非接続検知信号を受信した制御部３９は、第１発光体３４Ａ１１，３４Ａ２１，３４Ａ３１それぞれに対して、発光の態様を示す信号を送信する。制御部３９が第１発光体３４Ａ１１，３４Ａ２１，３４Ａ３１それぞれに対して送信する発光の態様を示す信号は、「充電池３５から受信した充電器電力残量信号」または「左イヤホン側充電池１５から受信した左イヤホン電力残量信号」と、「操作部３６から受信した操作信号」と、に応じて異なる。すなわち、制御部３９は、第１個別表示態様または第２表示態様のいずれかの表示パターン、つまり、図７中のいずれかの表示パターンを、第１表示部３４Ａに表示させる。
【０１３９】
また、受信端子３２ｂＬから左イヤホン電力残量を受信した制御部３９は、第１発光体３４Ａ１１，３４Ａ２１，３４Ａ３１それぞれに対して、左イヤホン側充電池１５から受信した左イヤホン電力残量信号を送信する。このとき、制御部３９は、第２表示態様の表示パターンを第１表示部３４Ａに表示させる。換言すれば、第１表示部３４Ａは、受信端子３２ｂＬが受信した左イヤホン電力残量信号に基づいて、左イヤホン側充電池の電力残量を表示する。
【０１４０】
さらに、検知端子３２ｃＬから検知信号を受信した制御部３９は、第２発光体３４Ｂ１１，３４Ｂ２１それぞれに対して、発光の態様（発光パターン）を示す信号を送信する。制御部３９が第２発光体３４Ｂ１１，３４Ｂ２１それぞれに対して送信する発光パターンを示す信号は、左イヤホン側充電池１５の電力残量に応じて異なる。すなわち、制御部３９は、左イヤホン側充電池１５の電力残量が充電完了であれば、第２発光体３４Ｂ１１，３４Ｂ２１の発光パターンが「点灯」となる信号を送信する。一方、制御部３９は、左イヤホン側充電池１５の電力残量が充電中であれば、第２発光体３４Ｂ１１，３４Ｂ２１の発光パターンが「点滅」となる信号を送信する。
【０１４１】
図１０は、本システムＳが給電ケーブルＣを介して外部電源２００に接続されているときの本システムＳの機能ブロック図である。
【０１４２】
先ず、本システムＳにおける電力の流れを説明する。
【０１４３】
本充電器３は、外部電源２００からの電力を蓄える（充電する）。外部電源２００からの電力は、給電ケーブルＣと外部電源端子３７を介して、充電池３５と給電端子３２ａＬとに供給（給電）される。
【０１４４】
充電池３５は、外部電源２００から供給された電力を蓄える（充電する）。
【０１４５】
給電端子３２ａＬは、外部電源端子３７を介して供給された外部電源２００からの電力を受電端子１４ａに供給する。給電端子３２ａＬから受電端子１４ａへの電力の供給は、検知端子３２ｃＬと接続端子１４ｃとが接続したとき、開始される。
【０１４６】
なお、外部電源端子が給電ケーブルを介して外部電源に接続されているとき、給電端子から受電端子へ供給される電力は、外部電源端子から給電端子に供給される電力に代えて、充電池から給電端子に供給される電力でもよい。また、外部電源端子が給電ケーブルを介して外部電源に接続されているとき、給電端子から受電端子へ供給される電力は、外部電源端子から給電端子に供給される電力と共に、充電池から給電端子に供給される電力でもよい。
【０１４７】
受電端子１４ａは、外部電源端子３７を介して供給された外部電源２００からの電力の供給を給電端子３２ａＬから受ける。本充電器３は、例えば、外部電源端子３７と給電端子３２ａＬとの間に直列にスイッチ（不図示）（例えば、ＦＥＴ（Field Effect Transistor））を備える。本充電器３の制御部３９は、検知端子３２ｃＬと接続端子１４ｃとが接続されるとスイッチをオンにして、外部電源２００から供給される電力の給電端子３２ａＬから受電端子１４ａへの供給を開始する。また、制御部３９は、検知端子３２ｃＬと接続端子１４ｃとの接続が解除されるとスイッチをオフにして、給電端子３２ａＬから受電端子１４ａへの電力の供給を停止する。すなわち、制御部３９は、検知端子３２ｃＬと接続端子１４ｃとが接続されている間、本イヤホン１を充電する。
【０１４８】
受電端子１４ａは、給電端子３２ａＬから供給を受けた（受電した）電力を、左イヤホン側充電池１５に供給する。左イヤホン側充電池１５は、受電端子１４ａから供給を受けた電力を蓄えると共に、左放音ユニット１０が備える電子回路（受信回路１４１など）に供給する。
【０１４９】
次に、本システムＳにおける信号の流れを説明する。
【０１５０】
検知部３８は、給電ケーブルＣが外部電源端子３７に接続されていることを示す信号（接続検知信号）を制御部３９に送信する。
【０１５１】
ここで、制御部３９が充電池３５から受信する充電器電力残量信号と、制御部３９が左イヤホン側充電池１５から受信する左イヤホン電力残量信号と、制御部３９が検知端子３２ｃＬから受信する検知信号と、制御部３９が操作部３６から受信する操作信号と、は、図９を用いて説明した、本システムＳが外部電源２００に接続されていないときと同じであるため、説明を省略する。
【０１５２】
検知部３８から接続検知信号を受信した制御部３９は、第１発光体３４Ａ１１，３４Ａ２１，３４Ａ３１それぞれに対して、発光の態様を示す信号を送信する。制御部３９が第１発光体３４Ａ１１，３４Ａ２１，３４Ａ３１それぞれに対して送信する発光の態様を示す信号は、「充電池３５から受信した充電器電力残量信号」または「左イヤホン側充電池１５から受信した左イヤホン電力残量信号」と、「操作部３６から受信した操作信号」と、に応じて異なる。すなわち、制御部３９は、第２個別表示態様または第２表示態様のいずれかの表示パターン、つまり、図８中のいずれかの表示パターンを、第１表示部３４Ａに表示させる。
【０１５３】
また、受信端子３２ｂＬから左イヤホン電力残量を受信した制御部３９は、第１発光体３４Ａ１１，３４Ａ２１，３４Ａ３１それぞれに対して、左イヤホン側充電池１５から受信した左イヤホン電力残量信号を送信する。このとき、制御部３９は、第２表示態様の表示パターンを第１表示部３４Ａに表示させる。換言すれば、第１表示部３４Ａは、受信端子３２ｂＬが受信した左イヤホン電力残量信号に基づいて、左イヤホン側充電池の電力残量を表示する。
【０１５４】
さらに、検知端子３２ｃＬから検知信号を受信した制御部３９は、第２発光体３４Ｂ１１，３４Ｂ２１それぞれに対して、発光の態様（発光パターン）を示す信号を送信する。制御部３９が第２発光体３４Ｂ１１，３４Ｂ２１それぞれに対して送信する発光パターンを示す信号は、左イヤホン側充電池１５の電力残量に応じて異なる。すなわち、制御部３９は、左イヤホン側充電池１５の電力残量が充電完了であれば、第２発光体３４Ｂ１１，３４Ｂ２１の発光パターンが「点灯」となる信号を送信する。一方、制御部３９は、左イヤホン側充電池１５の電力残量が充電中であれば、第２発光体３４Ｂ１１，３４Ｂ２１の発光パターンが「点滅」となる信号を送信する。
【０１５５】
図１１は、本システムＳの充電表示動作を示すフローチャートである。
【０１５６】
先ず、検知部３８は、外部電源端子３７への給電ケーブルＣの接続の有無を検知する（Ｓ１）。
【０１５７】
検知部３８が外部電源端子３７への給電ケーブルＣの接続の検知をしていないとき（Ｓ１の「Ｎ」）、制御部３９は、本イヤホン１が本充電器３に接続されているか否か、すなわち、接続端子１４ｃ，２４ｃと検知端子３２ｃＬ，３２ｃＲとが接続（電気的に接続）されているか否かを判断する（Ｓ２）。
【０１５８】
本イヤホン１が本充電器３に接続されているとき、すなわち、接続端子１４ｃ，２４ｃと検知端子３２ｃＬ，３２ｃＲとが接続（電気的に接続）されているとき（Ｓ２の「Ｙ」）、制御部３９は、外部電源端子３７への給電ケーブルＣが接続されていない場合における本イヤホン１装着時の表示処理（以下「第１表示処理」という。）を実行する（Ｓ３）。
【０１５９】
図１２は、第１表示処理のフローチャートである。
【０１６０】
ここで、給電ケーブルＣが本充電器３（外部電源端子３７）に接続されていないとき、何等かの操作（操作部３６の押下操作や、給電ケーブルＣの本充電器３への接続、など）が実施されるまで、第１表示部３４Ａの表示パターンは、インジケータ３４Ａ１，３４Ａ２，３４Ａ３それぞれに対応する第１発光体３４Ａ１１，３４Ａ２１，３４Ａ３１の発光パターンが「消灯」した表示パターン（以下「消灯パターン」という。）である（図１３において同じ）。
【０１６１】
先ず、制御部３９は、操作部３６が操作されたか否かを判断する（Ｓ３１）。
【０１６２】
操作部３６が操作されていないとき（Ｓ３１の「Ｎ」）、制御部３９は、操作部３６が操作されるのを待つ。
【０１６３】
一方、操作部３６が操作されたとき（Ｓ３１の「Ｙ」）、制御部３９は、充電池３５の電力残量に応じて第１発光体３４Ａ１１，３４Ａ２１，３４Ａ３１のいずれかまたは全部を青色で点灯させることで、充電池３５の電力残量に応じた第１表示態様を第１表示部３４Ａに表示させる（Ｓ３２）。
【０１６４】
第１表示部３４Ａが第１表示態様を表示しているとき（Ｓ３２）、制御部３９は、操作部３６が操作されたか否かを判断する（Ｓ３３）。
【０１６５】
操作部３６が操作されたとき（Ｓ３３の「Ｙ」）、制御部３９は、イヤホン側充電池（左イヤホン側充電池１５，右イヤホン側充電池２５）の電力残量に応じて第１発光体３４Ａ１１，３４Ａ２１，３４Ａ３１のいずれかまたは全部を白色で点灯させることで、イヤホン側充電池の電力残量に応じた第２表示態様を第１表示部３４Ａに表示させる（Ｓ３４）。
【０１６６】
一方、第１表示部３４Ａが第１表示態様を表示している状態で、操作部３６が操作されないとき（Ｓ３３の「Ｎ」）、制御部３９は、第１表示部３４Ａに第１表示態様が表示されてから所定の時間が経過したか否かを判定する（Ｓ３５）。
【０１６７】
所定の時間が経過していないとき（Ｓ３５の「Ｎ」）、第１表示部３４Ａの第１表示態様の表示は、維持される。
【０１６８】
一方、所定の時間が経過したとき（Ｓ３５の「Ｙ」）、制御部３９は、第１表示部３４Ａの表示パターンを消灯パターンとする（Ｓ３８）。その後、本システムＳの充電表示動作は、処理（Ｓ３１）に戻る。
【０１６９】
第１表示部３４Ａが第２表示態様を表示しているとき（Ｓ３４）、制御部３９は、操作部３６が操作されたか否かを判断する（Ｓ３６）。
【０１７０】
第１表示部３４Ａが第２表示態様を表示している状態で、操作部３６が操作されたとき（Ｓ３６の「Ｙ」）、制御部３９は、充電池３５の電力残量に応じて第１発光体３４Ａ１１，３４Ａ２１，３４Ａ３１のいずれかまたは全部を青色で点灯させることで、充電池３５の電力残量に応じた第１表示態様を第１表示部３４Ａに表示させる（Ｓ３２）。
【０１７１】
一方、第１表示部３４Ａが第２表示態様を表示している状態で、操作部３６が操作されないとき（Ｓ３６の「Ｎ」）、制御部３９は、第１表示部３４Ａに第２表示態様が表示されてから所定の時間が経過したか否かを判定する（Ｓ３７）。
【０１７２】
所定の時間が経過していないとき（Ｓ３７の「Ｎ」）、第１表示部３４Ａの第２表示態様の表示は、維持される。
【０１７３】
一方、所定の時間が経過したとき（Ｓ３７の「Ｙ」）、制御部３９は、第１表示部３４Ａの表示パターンを消灯パターンとする（Ｓ３８）。その後、本システムＳの充電表示動作は、処理（Ｓ３１）に戻る。
【０１７４】
図１１に戻る。
処理（Ｓ２）において、本イヤホン１が本充電器３に接続されていないとき、すなわち、接続端子１４ｃ，２４ｃと検知端子３２ｃＬ，３２ｃＲとが接続（電気的に接続）されていないとき（Ｓ２の「Ｎ」）、制御部３９は、外部電源端子３７への給電ケーブルＣが接続されていない場合における本イヤホン１非装着時の表示処理（以下「第２表示処理」という。）を実行する（Ｓ４）。
【０１７５】
図１３は、第２表示処理のフローチャートである。
【０１７６】
先ず、制御部３９は、操作部３６が操作されたか否かを判断する（Ｓ４１）。
【０１７７】
操作部３６が操作されていないとき（Ｓ４１の「Ｎ」）、制御部３９は、操作部３６が操作されるのを待つ。
【０１７８】
一方、操作部３６が操作されたとき（Ｓ４１の「Ｙ」）、制御部３９は、充電池３５の電力残量に応じて第１発光体３４Ａ１１，３４Ａ２１，３４Ａ３１のいずれかまたは全部を青色で点灯させることで、充電池３５の電力残量に応じた第１表示態様を第１表示部３４Ａに表示させる（Ｓ４２）。
【０１７９】
第１表示部３４Ａが第１表示態様を表示しているとき（Ｓ４２）、制御部３９は、操作部３６が操作されたか否かを判断する（Ｓ４３）。
【０１８０】
操作部３６が操作されたとき（Ｓ４３の「Ｙ」）、制御部３９は、第１表示部３４Ａの表示パターンを消灯パターンとする（Ｓ４４）。その後、本システムＳの充電表示動作は、処理（Ｓ４１）に戻る。
【０１８１】
一方、第１表示部３４Ａが第１表示態様を表示している状態で、操作部３６が操作されないとき（Ｓ４３の「Ｎ」）、制御部３９は、第１表示部３４Ａに第１表示態様が表示されてから所定の時間が経過したか否かを判定する（Ｓ４５）。
【０１８２】
所定の時間が経過していないとき（Ｓ４５の「Ｎ」）、第１表示部３４Ａの第１表示態様の表示は、維持される。
【０１８３】
一方、所定の時間が経過したとき（Ｓ４５の「Ｙ」）、制御部３９は、第１表示部３４Ａの表示パターンを消灯パターンとする（Ｓ４４）。その後、本システムＳの充電表示動作は、処理（Ｓ４１）に戻る。
【０１８４】
図１１に戻る。
処理（Ｓ１）において、検知部３８が外部電源端子３７への給電ケーブルＣの接続の検知をしているとき（Ｓ１の「Ｙ」）、制御部３９は、本イヤホン１が本充電器３に接続されているか否か、すなわち、接続端子１４ｃ，２４ｃと検知端子３２ｃＬ，３２ｃＲとが接続（電気的に接続）されているか否かを判断する（Ｓ５）。
【０１８５】
本イヤホン１が本充電器３に接続されているとき、すなわち、接続端子１４ｃ，２４ｃと検知端子３２ｃＬ，３２ｃＲとが接続（電気的に接続）されているとき（Ｓ５の「Ｙ」）、制御部３９は、外部電源端子３７への給電ケーブルＣが接続されている場合における本イヤホン１装着時の表示処理（以下「第３表示処理」という。）を実行する（Ｓ６）。
【０１８６】
図１４は、第３表示処理を示すフローチャートである。
【０１８７】
給電ケーブルＣが本充電器３（外部電源端子３７）に接続されたとき、制御部３９は、充電池３５の電力残量に応じて第１発光体３４Ａ１１，３４Ａ２１，３４Ａ３１のいずれかまたは全部を青色で点灯・点滅させることで、充電池３５の電力残量に応じた第１表示態様を第１表示部３４Ａに表示させる（Ｓ６１）。
【０１８８】
第１表示部３４Ａが第１表示態様を表示しているとき（Ｓ６１）、制御部３９は、操作部３６が操作されたか否かを判断する（Ｓ６２）。
【０１８９】
操作部３６が操作されたとき（Ｓ６２の「Ｙ」）、制御部３９は、イヤホン側充電池（左イヤホン側充電池１５，右イヤホン側充電池２５）の電力残量に応じて第１発光体３４Ａ１１，３４Ａ２１，３４Ａ３１のいずれかまたは全部を白色で点灯させることで、イヤホン側充電池の電力残量に応じた第２表示態様を第１表示部３４Ａに表示させる（Ｓ６３）。
【０１９０】
操作部３６が操作されていないとき（Ｓ６２の「Ｎ」）、制御部３９は、操作部３６が操作されるのを待つ。
【０１９１】
第１表示部３４Ａが第２表示態様を表示しているとき（Ｓ６３）、制御部３９は、操作部３６が操作されたか否かを判断する（Ｓ６４）。
【０１９２】
操作部３６が操作されたとき（Ｓ６４の「Ｙ」）、本システムＳの充電表示動作は、処理（Ｓ６１）に戻る。
【０１９３】
一方、第１表示部３４Ａが第２表示態様を表示している状態で（Ｓ６３）、操作部３６が操作されないとき（Ｓ６４の「Ｎ」）、制御部３９は、第１表示部３４Ａに第２表示態様が表示されてから所定の時間が経過したか否かを判定する（Ｓ６５）。
【０１９４】
所定の時間が経過していないとき（Ｓ６５の「Ｎ」）、第１表示部３４Ａの第２表示態様の表示は、維持される。
【０１９５】
一方、所定の時間が経過したとき（Ｓ６５の「Ｙ」）、本システムＳの充電表示動作は、処理（Ｓ６１）に戻る。
【０１９６】
図１１に戻る。
処理（Ｓ５）において、本イヤホン１が本充電器３に接続されていないとき、すなわち、接続端子１４ｃ，２４ｃと検知端子３２ｃＬ，３２ｃＲとが接続（電気的に接続）されていないとき（Ｓ５の「Ｎ」）、制御部３９は、外部電源端子３７への給電ケーブルＣが接続されている場合における本イヤホン１非装着時の表示処理（以下「第４表示処理」という。）を実行する（Ｓ７）。
【０１９７】
図１５は、第４表示処理を示すフローチャートである。
【０１９８】
給電ケーブルＣが本充電器３（外部電源端子３７）に接続されたとき、制御部３９は、充電池３５の電力残量に応じて第１発光体３４Ａ１１，３４Ａ２１，３４Ａ３１のいずれかまたは全部を青色で点灯・点滅させることで、充電池３５の電力残量に応じた第１表示態様を第１表示部３４Ａに表示させる（Ｓ７１）。
【０１９９】
第１表示部３４Ａが第１表示態様を表示しているとき（Ｓ７１）、制御部３９は、操作部３６が操作されたか否かを判断する（Ｓ７２）。
【０２００】
操作部３６が操作されていないとき（Ｓ７２の「Ｎ」）、制御部３９は、操作部３６が操作されるのを待つ。
【０２０１】
操作部３６が操作されたとき（Ｓ７２の「Ｙ」）、接続端子１４ｃ，２４ｃと検知端子３２ｃＬ，３２ｃＲとは接続（電気的に接続）されていない。そのため、制御部３９は、第１表示部３４Ａの表示パターンを消灯パターンとする（Ｓ７３）。
【０２０２】
次いで、制御部３９は、操作部３６が操作されたか否かを判断する（Ｓ７４）。
【０２０３】
操作部３６が操作されたとき（Ｓ７４の「Ｙ」）、本システムＳの充電表示動作は、処理（Ｓ７１）に戻る。
【０２０４】
一方、操作部３６が操作されないとき（Ｓ７４の「Ｎ」）、制御部３９は、第１表示部３４Ａに消灯パターンが表示されてから所定の時間が経過したか否かを判定する（Ｓ７５）。
【０２０５】
所定の時間が経過していないとき（Ｓ７５の「Ｎ」）、第１表示部３４Ａの消灯パターンは、維持される。
【０２０６】
一方、所定の時間が経過したとき（Ｓ７５の「Ｙ」）、本システムＳの充電表示動作は、処理（Ｓ７１）に戻る。
【０２０７】
●まとめ
以上説明した実施の形態によれば、本システムＳを構成する本充電器３の第１表示部３４Ａに表示される、充電池３５の電力残量を示す表示態様（第１表示態様）と、イヤホン側充電池（左イヤホン側充電池１５，右イヤホン側充電池２５）の電力残量を示す表示態様（第２表示態様）と、は異なる。第１表示態様と第２表示態様とは、操作部３６の操作により切り替えられて、第１表示部３４Ａに表示される。すなわち、第１表示部３４Ａは、第１表示態様と第２表示態様のいずれか一方の表示態様のみを表示する。
【０２０８】
また、第１表示態様は、本充電器３が外部電源２００と接続していないときの表示態様（第１個別表示態様）と、本充電器３が外部電源２００と接続しているときの表示態様（第２個別表示態様）とを含む。すなわち、第１表示部３４Ａは、本充電器３と外部電源２００との接続状況に応じて、第１個別表示態様と第２個別表示態様とのいずれか一方のみを表示する。
【０２０９】
このように、本充電器３の第１表示部３４Ａは、操作部３６の操作に応じて、第１個別表示態様または第２個別表示態様と、第２表示態様とを切り替えながら表示する。そのため、本システムＳの使用者は、第１表示部３４Ａに表示された表示態様から、本充電器３の電力残量や本イヤホン１の電力残量と、本充電器３と外部電源２００との接続状況とを把握できる。そのため、第１表示部３４Ａの視認性やデザイン性は、損なわれることなく、従来の充電器に比べて高い。
【０２１０】
なお、以上説明した実施の形態は、左放音ユニット１０が音源１００からの音声信号を受信して右放音ユニット２０に伝送する構成であった。しかし、本発明にかかるイヤホンの構成は、これに限定されない。
すなわち、本発明にかかるイヤホンの構成は、右放音ユニットが音源からの音声信号を受信して左放音ユニットに伝送する構成でもよい。この構成の場合、右放音ユニットは送信回路を備え、左放音ユニットは送信回路を備えない。右放音ユニットの受信回路は、音源から音声信号を受信する。右放音ユニットの受信回路は、音源から受信した音声信号を、右放音ユニットの信号処理回路と送信回路とに伝送する。右放音ユニットの送信回路は、右放音ユニットの受信回路から伝送された音声信号を、左放音ユニットの受信回路に伝送する。左放音ユニットの受信回路は、右放音ユニットの送信回路から伝送された音声信号を、左放音ユニットの信号処理回路に伝送する。その後の右放音ユニットの動作と左放音ユニットの動作とは、先に説明した実施の形態における動作と同様である。
【０２１１】
また、以上説明した実施の形態において、第１発光体３４Ａ１１−３４Ａ３１は多色ＬＥＤであったが、本発明における第１発光体は多色ＬＥＤに限定されない。すなわち、例えば、第１発光体は、単色のＬＥＤで構成されてもよい。この構成の場合、例えば、ＬＥＤは、本充電器のケースの外周面の１カ所に２つずつ（青色ＬＥＤと白色ＬＥＤ）並んで配置され、いずれか一方のみが発光する。
【０２１２】
さらに、第１表示部に表示される表示態様は、第１表示態様と第２表示態様とに限定されず、その他の表示態様、例えば、異常動作を表示する表示態様を含んでもよい。異常動作は、例えば、本充電器が外部電源に接続されておらず、本充電器の充電池の電力残量が０％の状態で、本充電器に本イヤホンが収容されて、本イヤホンへの充電が実施できない場合などである。
【０２１３】
さらにまた、以上説明した実施の形態では、外部電源端子３７に給電ケーブルＣが接続され、かつ、本イヤホン１が本充電器３に接続されていないときにおいて、第１表示部３４Ａが「第１表示態様」を表示している状態で操作部３６が操作されたとき、制御部３９は、第１表示部３４Ａの表示パターンを消灯パターンとしていた。この構成に代えて、第１表示部が「第１表示態様」を表示している状態で操作部が操作されたとき、第１表示部が「第１表示態様」の表示を維持する構成でもよい。
【０２１４】
さらにまた、「発光パターン」は、「点灯」「点滅」「消灯」に限られない。すなわち、例えば、「発光パターン」は、第１発光体および第２発光体の発光の輝度の変化、つまり、輝度値の大小の変更でもよい。
【０２１５】
さらにまた、以上説明した実施の形態では、充電池の電力残量またはイヤホン側充電池の電力残量が「０％以上で３０％未満」のとき、「３０％以上で６０％未満」のとき、「６０％以上で１００％未満」のとき、「１００％（充電完了）」のときで、第１表示部の表示パターンが異なる例を示した。しかし、本発明にかかるワイヤレスイヤホンシステムにおいて表示パターンを異ならせる（変化させる）電力残量（充電池の電力残量またはイヤホン側充電池の電力残量）の範囲はこの例に限らず、任意に設定可能である。
【０２１６】
さらにまた、以上説明した実施の形態では、第２表示部３４Ｂの表示態様は、イヤホン側充電池の電力残量が充電完了になった後（充電が完了してから所定の時間が経過した後）において、本充電器３が外部電源２００から電力の供給を受けている間（給電ケーブルが外部電源端子に接続されているとき）と、本充電器３が外部電源２００から電力の供給を受けていない間（給電ケーブルが外部電源端子に接続されていないとき）と、で異なる例を示した。しかし、本発明において、給電ケーブルが外部電源端子に接続されているときと、給電ケーブルが外部電源端子に接続されていないときと、で第２表示部の表示態様が異なるタイミングは、イヤホン側充電池の電力残量が充電完了になった後（充電が完了してから所定の時間が経過した後）に限定されない。すなわち、例えば、第２表示部の表示態様は、イヤホン側充電池の電力残量が充電中のときや、イヤホン側充電池の電力残量が充電完了（満充電）のとき（充電が完了してから所定の時間が経過する前）に異ってもよい。この場合、例えば、第２表示部の表示態様は、給電ケーブルが外部電源端子に接続されているときの第２表示部の表示色（第２発光体の発光色）と、給電ケーブルが外部電源端子に接続されていないときの第２表示部の表示色（第２発光体の発光色）と、を異ならせる。
【符号の説明】
【０２１７】
Ｓ            ワイヤレスイヤホンシステム
１            ワイヤレスイヤホン
３            ワイヤレスイヤホン用充電器
１０          左放音ユニット
１４          左回路基板
１４ａ        受電端子
１４ｂ        送信端子
１４ｃ        接続端子
１５          左イヤホン側充電池
２０          右放音ユニット
２４          右回路基板
２４ａ        受電端子
２４ｂ        送信端子
２４ｃ        接続端子
２５          右イヤホン側充電池
３１          ケース
３２ａＬ      給電端子
３２ａＲ      給電端子
３２ｂＬ      受信端子
３２ｂＲ      受信端子
３２ｃＬ      検知端子
３２ｃＲ      検知端子
３４Ａ        第１表示部
３４Ａ１      インジケータ
３４Ａ２      インジケータ
３４Ａ３      インジケータ
３４Ａ１１    第１発光体
３４Ａ２１    第１発光体
３４Ａ３１    第１発光体
３４Ｂ        第２表示部
３４Ｂ１      インジケータ
３４Ｂ２      インジケータ
３４Ｂ１１    第２発光体
３４Ｂ２１    第２発光体
３５          充電池
３６          操作部
３７          外部電源端子
３８          検知部
３９          制御部
【図１】
2020017128.tif 000003
【図２】
2020017128.tif 000004
【図３】
2020017128.tif 000005
【図４】
2020017128.tif 000006
【図５】
2020017128.tif 000007
【図６】
2020017128.tif 000008
【図７】
2020017128.tif 000009
【図８】
2020017128.tif 000010
【図９】
2020017128.tif 000011
【図１０】
2020017128.tif 000012
【図１１】
2020017128.tif 000013
【図１２】
2020017128.tif 000014
【図１３】
2020017128.tif 000015
【図１４】
2020017128.tif 000016
【図１５】
2020017128.tif 000017
【手続補正書】
【提出日】令和2年5月14日(2020.5.14)
【手続補正１】
【補正対象書類名】特許請求の範囲
【補正対象項目名】全文
【補正方法】変更
【補正の内容】
【特許請求の範囲】
【請求項１】
無線通信回線を介して音声信号を受信する受信回路と、前記受信回路に給電される電力を充電するイヤホン側充電池と、を備えるワイヤレスイヤホンを充電するワイヤレスイヤホン用充電器であって、
前記イヤホン側充電池に供給される電力を充電する充電池と、
複数の表示態様を表示する表示部と、
前記表示態様を切り替える制御部と、
前記充電池に充電される電力を給電する給電ケーブルが接続されるケーブル接続端子と、
前記ケーブル接続端子への前記給電ケーブルの接続の有無を検知する検知部と、
を有してなり、
前記制御部は、
前記検知部の検知結果に基づいて、前記表示部の表示態様を切り替える、
ことを特徴とするワイヤレスイヤホン用充電器。
【請求項２】
前記表示部の表示態様は、
前記充電池の電力残量を表示する第１表示態様と、
前記イヤホン側充電池の電力残量を表示する第２表示態様と、
を含む、
請求項１記載のワイヤレスイヤホン用充電器。
【請求項３】
前記表示部は、前記給電ケーブルが前記ケーブル接続端子に接続されたとき、前記第１表示態様を表示する、
請求項２記載のワイヤレスイヤホン用充電器。
【請求項４】
前記第１表示態様は、複数の個別表示態様を含み、
前記給電ケーブルが前記ケーブル接続端子に接続されたときの個別表示態様は、前記給電ケーブルが前記ケーブル接続端子に接続されていないときの個別表示態様と、異なる、
請求項２記載のワイヤレスイヤホン用充電器。
【請求項５】
前記ワイヤレスイヤホンを収容するケースと、
前記表示部の表示態様を切り替えるために操作される操作部と、
を有してなり、
前記操作部は、前記ケースに配置されるボタンであり、
前記制御部は、前記操作部の操作に基づいて、前記表示態様を切り替える、
請求項１記載のワイヤレスイヤホン用充電器。
【請求項６】
前記表示部は、前記ケースの外部に露出する、
請求項５記載のワイヤレスイヤホン用充電器。
【請求項７】
前記イヤホン側充電池の電力残量を表示する第２表示部と、
前記ケースに対して開閉可能な蓋部と、
を有してなり、
前記第２表示部は、前記ケースに対して蓋部が開いているときにのみ、前記ケースの外部から視認可能である、
請求項５記載のワイヤレスイヤホン用充電器。
【請求項８】
前記給電ケーブルが前記ケーブル接続端子に接続されたときの前記第２表示部の表示態様は、前記給電ケーブルが前記ケーブル接続端子に接続されていないときの前記第２表示部の表示態様と異なる、
請求項７記載のワイヤレスイヤホン用充電器。
【請求項９】
請求項１記載のワイヤレスイヤホン用充電器より充電されるワイヤレスイヤホンであって、
無線通信回線を介して音声信号を受信する受信回路と、
前記受信回路に給電される電力を充電するイヤホン側充電池と、
前記ワイヤレスイヤホン用充電器より前記電力を受電する受電端子と、
前記イヤホン側充電池の電力残量を示す信号を前記ワイヤレスイヤホン用充電器に送信する送信端子と、
を有してなる、
ことを特徴とするワイヤレスイヤホン。
【請求項１０】
請求項９記載のワイヤレスイヤホンと、
前記ワイヤレスイヤホンを充電する請求項１記載のワイヤレスイヤホン用充電器と、
を有してなり、
前記ワイヤレスイヤホン用充電器は、
給電端子と、
受信端子と、
を備え、
前記給電端子は、前記受電端子に接続されて、前記電力を前記受電端子に給電し、
前記受信端子は、前記送信端子に接続されて、前記イヤホン側充電池の電力残量を示す信号を受信する、
ことを特徴とするワイヤレスイヤホンシステム。
【請求項１１】
前記ワイヤレスイヤホン用充電器は、
前記受電端子と前記給電端子との接続を検知する検知端子、
を備え、
前記ワイヤレスイヤホンは、
前記検知端子と接続する接続端子、
を備え、
前記給電端子からの電力の給電は、前記検知端子と前記接続端子とが接続したときに開始される、
請求項１０記載のワイヤレスイヤホンシステム。
【請求項１２】
前記表示部は、前記受信端子が受信した前記イヤホン側充電池の電力残量を示す信号に基づいて、前記イヤホン側充電池の電力残量を表示する、
請求項１０記載のワイヤレスイヤホンシステム。
【請求項１３】
前記ワイヤレスイヤホン用充電器は、
第２表示部、
を備え、
前記第２表示部は、
前記検知端子と前記接続端子との接続状態と、
前記イヤホン側充電池の電力残量と、
を表示する、
請求項１１記載のワイヤレスイヤホンシステム。
【手続補正書】
【提出日】令和2年10月12日(2020.10.12)
【手続補正１】
【補正対象書類名】特許請求の範囲
【補正対象項目名】全文
【補正方法】変更
【補正の内容】
【特許請求の範囲】
【請求項１】
無線通信回線を介して音声信号を受信する受信回路と、前記受信回路に給電される電力を充電するイヤホン側充電池と、を備えるワイヤレスイヤホンを充電するワイヤレスイヤホン用充電器であって、
前記イヤホン側充電池に供給される電力を充電する充電池と、
複数の表示態様を表示する表示部と、
前記表示態様を切り替える制御部と、
前記充電池に充電される電力を給電する給電ケーブルが接続されるケーブル接続端子と、
前記ケーブル接続端子への前記給電ケーブルの接続の有無を検知する検知部と、
を有してなり、
前記表示部の前記表示態様は、
前記充電池の電力残量を表示する第１表示態様と、
前記イヤホン側充電池の電力残量を表示する第２表示態様と、
を含み、
前記制御部は、
前記検知部の検知結果に基づいて、前記表示部の前記表示態様を切り替え、
前記表示部は、前記給電ケーブルが前記ケーブル接続端子に接続されたとき、前記第１表示態様を表示する、
ことを特徴とするワイヤレスイヤホン用充電器。
【請求項２】
（削除）
【請求項３】
（削除）
【請求項４】
前記第１表示態様は、複数の個別表示態様を含み、
前記給電ケーブルが前記ケーブル接続端子に接続されたときの個別表示態様は、前記給電ケーブルが前記ケーブル接続端子に接続されていないときの個別表示態様と、異なる、
請求項１記載のワイヤレスイヤホン用充電器。
【請求項５】
前記ワイヤレスイヤホンを収容するケースと、
前記表示部の前記表示態様を切り替えるために操作される操作部と、
を有してなり、
前記操作部は、前記ケースに配置されるボタンであり、
前記制御部は、前記操作部の操作に基づいて、前記表示態様を切り替える、
請求項１記載のワイヤレスイヤホン用充電器。
【請求項６】
前記表示部は、前記ケースの外部に露出する、
請求項５記載のワイヤレスイヤホン用充電器。
【請求項７】
前記イヤホン側充電池の電力残量を表示する第２表示部と、
前記ケースに対して開閉可能な蓋部と、
を有してなり、
前記第２表示部は、前記ケースに対して前記蓋部が開いているときにのみ、前記ケースの外部から視認可能である、
請求項５記載のワイヤレスイヤホン用充電器。
【請求項８】
前記給電ケーブルが前記ケーブル接続端子に接続されたときの前記第２表示部の表示態様は、前記給電ケーブルが前記ケーブル接続端子に接続されていないときの前記第２表示部の表示態様と異なる、
請求項７記載のワイヤレスイヤホン用充電器。
【請求項９】
ワイヤレスイヤホン用充電器より充電されるワイヤレスイヤホンであって、
前記ワイヤレスイヤホン用充電器は、請求項１記載のワイヤレスイヤホン用充電器であり、
前記ワイヤレスイヤホンは、
無線通信回線を介して音声信号を受信する受信回路と、
前記受信回路に給電される電力を充電するイヤホン側充電池と、
前記ワイヤレスイヤホン用充電器より前記電力を受電する受電端子と、
前記イヤホン側充電池の電力残量を示す信号を前記ワイヤレスイヤホン用充電器に送信する送信端子と、
を有してなる、
ことを特徴とするワイヤレスイヤホン。
【請求項１０】
ワイヤレスイヤホンと、
前記ワイヤレスイヤホンを充電するワイヤレスイヤホン用充電器と、
を有してなるワイヤレスイヤホンシステムであって、
前記ワイヤレスイヤホンは、
無線通信回線を介して音声信号を受信する受信回路と、
前記受信回路に給電される電力を充電するイヤホン側充電池と、
前記ワイヤレスイヤホン用充電器より前記電力を受電する受電端子と、
前記イヤホン側充電池の電力残量を示す信号を前記ワイヤレスイヤホン用充電器に送信する送信端子と、
を備え、
前記ワイヤレスイヤホン用充電器は、
前記イヤホン側充電池に供給される電力を充電する充電池と、
複数の表示態様を表示する表示部と、
前記表示態様を切り替える制御部と、
前記充電池に充電される電力を給電する給電ケーブルが接続されるケーブル接続端子と、
前記ケーブル接続端子への前記給電ケーブルの接続の有無を検知する検知部と、
給電端子と、
受信端子と、
を備え、
前記表示部の前記表示態様は、
前記充電池の電力残量を表示する第１表示態様と、
前記イヤホン側充電池の電力残量を表示する第２表示態様と、
を含み、
前記制御部は、
前記検知部の検知結果に基づいて、前記表示部の前記表示態様を切り替え、
前記表示部は、前記給電ケーブルが前記ケーブル接続端子に接続されたとき、前記第１表示態様を表示し、
前記給電端子は、前記受電端子に接続されて、前記電力を前記受電端子に給電し、
前記受信端子は、前記送信端子に接続されて、前記イヤホン側充電池の電力残量を示す信号を受信する、
ことを特徴とするワイヤレスイヤホンシステム。
【請求項１１】
前記ワイヤレスイヤホン用充電器は、
前記受電端子と前記給電端子との接続を検知する検知端子、
を備え、
前記ワイヤレスイヤホンは、
前記検知端子と接続する接続端子、
を備え、
前記給電端子からの電力の給電は、前記検知端子と前記接続端子とが接続したときに開始される、
請求項１０記載のワイヤレスイヤホンシステム。
【請求項１２】
前記表示部は、前記受信端子が受信した前記イヤホン側充電池の電力残量を示す前記信号に基づいて、前記イヤホン側充電池の電力残量を表示する、
請求項１０記載のワイヤレスイヤホンシステム。
【請求項１３】
前記ワイヤレスイヤホン用充電器は、
第２表示部、
を備え、
前記第２表示部は、
前記検知端子と前記接続端子との接続状態と、
前記イヤホン側充電池の電力残量と、
を表示する、
請求項１１記載のワイヤレスイヤホンシステム。
【国際調査報告】
2020017128.tif 000018
2020017128.tif 000019
2020017128.tif 000020
2020017128.tif 000021